(57)【要約】  本願の実施例は通信方法、ネットワーク機器及び端末装置を開示し、該方法は、端末装置が第１公衆陸上移動体ネットワーク（ＰＬＭＮ）から第２ＰＬＭＮまで移動し又は第１コアネットワークから第２コアネットワークまで移動した場合、目標ネットワーク機器が該端末装置のコンテクスト情報を取得することと、該目標ネットワーク機器が該コンテクスト情報に基づき、該端末装置と通信することと、を含む。本願の実施例の通信方法、ネットワーク機器は端末電量及びネットワークオーバーヘッドを節約することができ、それにより端末の移動特性を向上させる。
2020534715.tif 000002
【特許請求の範囲】
【請求項１】
通信方法であって、
端末装置が第１公衆陸上移動体ネットワーク（ＰＬＭＮ）から第２ＰＬＭＮまで移動し又は第１コアネットワークから第２コアネットワークまで移動した場合、目標ネットワーク機器が、前記端末装置のコンテクスト情報を取得することと、
前記目標ネットワーク機器が、前記コンテクスト情報に基づき、前記端末装置と通信することと、を含むことを特徴とする、前記通信方法。
【請求項２】
前記目標ネットワーク機器が前記端末装置のコンテクスト情報を取得することは、
前記目標ネットワーク機器が、前記端末装置から送信された前記コンテクスト情報を受信することを含むことを特徴とする
請求項１に記載の方法。
【請求項３】
前記目標ネットワーク機器が前記端末装置から送信された前記コンテクスト情報を受信した後、前記方法は、更に、
前記目標ネットワーク機器が、前記コンテクスト情報を解放するように前記端末装置に指示するための第１指示情報を前記端末装置に送信することを含むことを特徴とする
請求項２に記載の方法。
【請求項４】
前記方法は、更に、
前記目標ネットワーク機器が、前記端末装置から送信されたソースネットワーク機器の情報を受信することを含み、
前記目標ネットワーク機器が前記端末装置のコンテクスト情報を取得することは、
前記目標ネットワーク機器が、前記ソースネットワーク機器の情報に基づき、前記コンテクスト情報を要求するためのコンテクスト取得要求メッセージを前記ソースネットワーク機器に送信することであって、前記コンテクスト取得要求メッセージが、前記端末装置の識別子を含むことと、
前記目標ネットワーク機器が、前記ソースネットワーク機器から送信された前記コンテクスト情報を受信することと、を含むことを特徴とする
請求項１に記載の方法。
【請求項５】
前記目標ネットワーク機器が目標コアネットワーク機器であり、前記ソースネットワーク機器がソースコアネットワーク機器であり、前記方法は、更に、
前記目標コアネットワーク機器が、目標アクセスネットワーク機器へ前記コンテクスト情報を送信することを含むことを特徴とする
請求項４に記載の方法。
【請求項６】
前記目標コアネットワーク機器が前記ソースコアネットワーク機器から送信された前記コンテクスト情報を受信した後、前記方法は、更に、
前記目標コアネットワーク機器が、第２指示情報を前記ソースコアネットワーク機器に送信することであって、前記第２指示情報が、前記コンテクスト情報を解放するように前記ソースコアネットワーク機器に指示し、又はソースアクセスネットワーク機器が前記コンテクスト情報を解放するようにトリガーするように前記ソースコアネットワーク機器に指示することに用いられることを含むことを特徴とする
請求項５に記載の方法。
【請求項７】
前記目標ネットワーク機器が目標ＰＬＭＮネットワーク機器であり、前記ソースネットワーク機器がソースＰＬＭＮネットワーク機器であり、前記方法は、更に、
前記目標ＰＬＭＮネットワーク機器が、目標アクセスネットワーク機器へ前記コンテクスト情報を送信することを含むことを特徴とする
請求項４に記載の方法。
【請求項８】
前記目標ＰＬＭＮネットワーク機器が前記ソースＰＬＭＮネットワーク機器から送信された前記コンテクスト情報を受信した後、前記方法は、更に、
前記目標ＰＬＭＮネットワーク機器が、第３指示情報を前記ソースＰＬＭＮネットワーク機器に送信することであって、前記第３指示情報が、前記コンテクスト情報を解放するように前記ソースＰＬＭＮネットワーク機器に指示し、又はソースアクセスネットワーク機器が前記コンテクスト情報を解放するようにトリガーするように前記ソースＰＬＭＮネットワーク機器に指示することに用いられることを含むことを特徴とする
請求項７に記載の方法。
【請求項９】
前記目標ネットワーク機器が目標アクセスネットワーク機器であり、前記ソースネットワーク機器がソースアクセスネットワーク機器であり、前記方法は、更に、
前記目標アクセスネットワーク機器が、目標コアネットワーク機器又は目標ＰＬＭＮネットワーク機器へ前記コンテクスト情報を送信することを含むことを特徴とする
請求項４に記載の方法。
【請求項１０】
前記目標アクセスネットワーク機器が前記ソースアクセスネットワーク機器から送信された前記コンテクスト情報を受信した後、前記方法は、更に、
前記目標アクセスネットワーク機器が、第４指示情報を前記ソースアクセスネットワーク機器に送信することであって、第４指示情報が、前記コンテクスト情報を解放するように前記ソースアクセスネットワーク機器に指示し、又はソースコアネットワーク機器が前記コンテクスト情報を解放するようにトリガーするように前記ソースアクセスネットワーク機器に指示することに用いられることを含むことを特徴とする
請求項９に記載の方法。
【請求項１１】
前記目標ネットワーク機器が前記端末装置のコンテクスト情報を取得した後、前記方法は、更に、
前記目標ネットワーク機器が、前記目標ネットワーク機器が前記コンテクスト情報を取得したことを示すための第５指示情報を前記端末装置に送信することを含むことを特徴とする
請求項１〜１０のいずれか１項に記載の方法。
【請求項１２】
前記端末装置が、無線リソース制御（ＲＲＣ）の非アクティブ状態にある端末装置であることを特徴とする
請求項１〜１１のいずれか１項に記載の方法。
【請求項１３】
通信方法であって、
端末装置が第１公衆陸上移動体ネットワーク（ＰＬＭＮ）から第２ＰＬＭＮまで移動し又は第１コアネットワークから第２コアネットワークまで移動した場合、ソースネットワーク機器が、目標ネットワーク機器から送信された、端末装置のコンテクスト情報を取得するように要求するための第１コンテクスト取得要求メッセージを受信することであって、前記第１コンテクスト取得要求メッセージが、前記端末装置の識別子を含むことと、
前記ソースネットワーク機器が、前記目標ネットワーク機器へ前記コンテクスト情報を送信することと、を含むことを特徴とする、前記通信方法。
【請求項１４】
前記ソースネットワーク機器がソースコアネットワーク機器であり、前記目標ネットワーク機器が目標コアネットワーク機器であり、前記方法は、更に、
前記ソースコアネットワーク機器が、前記コンテクスト情報を取得するように要求するための第２コンテクスト取得要求メッセージをソースアクセスネットワーク機器に送信することと、
前記ソースコアネットワーク機器が、前記ソースアクセスネットワーク機器から送信された前記コンテクスト情報を受信することと、を含むことを特徴とする
請求項１３に記載の方法。
【請求項１５】
前記ソースネットワーク機器がソースコアネットワーク機器であり、前記目標ネットワーク機器が目標コアネットワーク機器であり、前記ソースコアネットワーク機器が前記目標コアネットワーク機器へ前記コンテクスト情報を送信した後、前記方法は、更に、
前記ソースコアネットワーク機器が、前記目標コアネットワーク機器から送信された第１指示情報を受信することであって、前記第１指示情報が、前記コンテクスト情報を解放するように前記ソースコアネットワーク機器に指示し、又はソースアクセスネットワーク機器が前記コンテクスト情報を解放するようにトリガーするように前記ソースコアネットワーク機器に指示することに用いられることと、
前記ソースコアネットワーク機器が、前記第１指示情報に基づき、前記コンテクスト情報を解放し、又は、前記ソースコアネットワーク機器が前記ソースアクセスネットワーク機器へ前記第１指示情報を転送することと、を含むことを特徴とする
請求項１３又は１４に記載の方法。
【請求項１６】
前記ソースネットワーク機器がソースＰＬＭＮネットワーク機器であり、前記目標ネットワーク機器が目標ＰＬＭＮネットワーク機器であり、前記方法は、更に、
前記ソースＰＬＭＮネットワーク機器が、前記コンテクスト情報を取得するように要求するための第２コンテクスト取得要求メッセージをソースアクセスネットワーク機器に送信することと、
前記ソースＰＬＭＮネットワーク機器が、前記ソースアクセスネットワーク機器から送信された前記コンテクスト情報を受信することと、を含むことを特徴とする
請求項１３に記載の方法。
【請求項１７】
前記ソースネットワーク機器がソースＰＬＭＮネットワーク機器であり、前記目標ネットワーク機器が目標ＰＬＭＮネットワーク機器であり、前記ソースＰＬＭＮネットワーク機器が前記目標ＰＬＭＮネットワーク機器へ前記コンテクスト情報を送信した後、前記方法は、更に、
前記ソースＰＬＭＮネットワーク機器が、前記目標ＰＬＭＮネットワーク機器から送信された第２指示情報を受信することであって、前記第２指示情報が、前記コンテクスト情報を解放するように前記ソースＰＬＭＮネットワーク機器に指示し、又はソースアクセスネットワーク機器が前記コンテクスト情報を解放するようにトリガーするように前記ソースＰＬＭＮネットワーク機器に指示することに用いられることと、
前記ソースＰＬＭＮネットワーク機器が、前記第２指示情報に基づき、前記コンテクスト情報を解放し、又は、前記ソースＰＬＭＮネットワーク機器が前記ソースアクセスネットワーク機器へ前記第２指示情報を転送することと、を含むことを特徴とする
請求項１３又は１６に記載の方法。
【請求項１８】
前記ソースネットワーク機器がソースアクセスネットワーク機器であり、前記目標ネットワーク機器が目標アクセスネットワーク機器であり、前記方法は、更に、
前記ソースアクセスネットワーク機器が、前記コンテクスト情報を取得するように要求するための第２コンテクスト取得要求メッセージをソースコアネットワーク機器又はソースＰＬＭＮネットワーク機器に送信することと、
前記ソースアクセスネットワーク機器が、前記ソースコアネットワーク機器又は前記ソースＰＬＭＮネットワーク機器から送信された前記コンテクスト情報を受信することと、を含むことを特徴とする
請求項１３に記載の方法。
【請求項１９】
前記ソースネットワーク機器がソースアクセスネットワーク機器であり、前記目標ネットワーク機器が目標アクセスネットワーク機器であり、前記ソースアクセスネットワーク機器が前記目標アクセスネットワーク機器へ前記コンテクスト情報を送信した後、前記方法は、更に、
前記ソースアクセスネットワーク機器が、前記目標アクセスネットワーク機器から送信された第３指示情報を受信することであって、前記第３指示情報が、前記コンテクスト情報を解放するように前記ソースアクセスネットワーク機器に指示し、又はソースコアネットワーク機器又はソースＰＬＭＮネットワーク機器が前記コンテクスト情報を解放するようにトリガーするように前記ソースアクセスネットワーク機器に指示することに用いられることと、
前記ソースアクセスネットワーク機器が、前記第３指示情報に基づき、前記コンテクスト情報を解放し、又は、前記ソースアクセスネットワーク機器が、前記ソースコアネットワーク機器又は前記ソースＰＬＭＮネットワーク機器へ前記第３指示情報を転送することと、を含むことを特徴とする
請求項１３又は１８に記載の方法。
【請求項２０】
前記端末装置が、無線リソース制御（ＲＲＣ）の非アクティブ状態にある端末装置であることを特徴とする
請求項１３〜１９のいずれか１項に記載の方法。
【請求項２１】
通信方法であって、
端末装置が第１公衆陸上移動体ネットワーク（ＰＬＭＮ）から第２ＰＬＭＮまで移動し又は第１コアネットワークから第２コアネットワークまで移動した場合、前記端末装置が、目標ネットワーク機器が前記端末装置のコンテクスト情報を取得するようにトリガーすることを含むことを特徴とする、前記通信方法。
【請求項２２】
前記端末装置が、目標ネットワーク機器が前記端末装置のコンテクスト情報を取得するようにトリガーすることは、
前記端末装置が、前記目標ネットワーク機器へ前記コンテクスト情報を送信することを含むことを特徴とする
請求項２１に記載の方法。
【請求項２３】
前記端末装置が前記目標ネットワーク機器へ前記コンテクスト情報を送信した後、前記方法は、更に、
前記端末装置が、前記目標ネットワーク機器から送信された、前記コンテクスト情報を解放するように前記端末装置に指示するための指示情報を受信することと、
前記端末装置が、前記指示情報に基づき、前記コンテクスト情報を解放することと、を含むことを特徴とする
請求項２２に記載の方法。
【請求項２４】
前記端末装置が、目標ネットワーク機器が前記端末装置のコンテクスト情報を取得するようにトリガーすることは、
前記端末装置が、前記目標ネットワーク機器へソースネットワーク機器の情報を送信し、前記目標ネットワーク機器が前記ソースネットワーク機器から前記コンテクスト情報を取得するようにすることを含むことを特徴とする
請求項２１に記載の方法。
【請求項２５】
前記目標ネットワーク機器が目標コアネットワーク機器であり、前記ソースネットワーク機器がソースコアネットワーク機器であり、又は、前記目標ネットワーク機器が目標ＰＬＭＮネットワーク機器であり、前記ソースネットワーク機器がソースＰＬＭＮネットワーク機器であり、又は、前記目標ネットワーク機器が目標アクセスネットワーク機器であり、前記ソースネットワーク機器がソースアクセスネットワーク機器であることを特徴とする
請求項２４に記載の方法。
【請求項２６】
前記端末装置が無線リソース制御（ＲＲＣ）の非アクティブ状態にある端末装置であることを特徴とする
請求項２１〜２５のいずれか１項に記載の方法。
【請求項２７】
ネットワーク機器であって、
前記ネットワーク機器が目標ネットワーク機器であり、前記ネットワーク機器は、
端末装置が第１公衆陸上移動体ネットワーク（ＰＬＭＮ）から第２ＰＬＭＮまで移動し又は第１コアネットワークから第２コアネットワークまで移動した場合、前記端末装置のコンテクスト情報を取得するように構成される取得ユニットと、
前記コンテクスト情報に基づき、前記端末装置と通信するように構成される通信ユニットと、を備えることを特徴とする、前記ネットワーク機器。
【請求項２８】
前記取得ユニットは、具体的に、
前記端末装置から送信された前記コンテクスト情報を受信するように構成されることを特徴とする
請求項２７に記載のネットワーク機器。
【請求項２９】
前記ネットワーク機器は、更に、
前記コンテクスト情報を解放するように前記端末装置に指示するための第１指示情報を前記端末装置に送信するように構成される第１送信ユニットを備えることを特徴とする
請求項２８に記載のネットワーク機器。
【請求項３０】
前記ネットワーク機器は、更に、
前記端末装置から送信されたソースネットワーク機器の情報を受信するように構成される第１受信ユニットを備え、
前記取得ユニットは、具体的に、
前記ソースネットワーク機器の情報に基づき、前記コンテクスト情報を要求するためのコンテクスト取得要求メッセージを前記ソースネットワーク機器に送信し、前記コンテクスト取得要求メッセージが、前記端末装置の識別子を含み、
前記ソースネットワーク機器から送信された前記コンテクスト情報を受信するように構成されることを特徴とする
請求項２７に記載のネットワーク機器。
【請求項３１】
前記目標ネットワーク機器が目標コアネットワーク機器であり、前記ソースネットワーク機器がソースコアネットワーク機器であり、前記ネットワーク機器は、更に、
目標アクセスネットワーク機器へ前記コンテクスト情報を送信するように構成される第２送信ユニットを備えることを特徴とする
請求項３０に記載のネットワーク機器。
【請求項３２】
前記ネットワーク機器は、更に、
第２指示情報を前記ソースコアネットワーク機器に送信するように構成される第３送信ユニットを備え、前記第２指示情報が、前記コンテクスト情報を解放するように前記ソースコアネットワーク機器に指示し、又はソースアクセスネットワーク機器が前記コンテクスト情報を解放するようにトリガーするように前記ソースコアネットワーク機器に指示することに用いられることを特徴とする
請求項３１に記載のネットワーク機器。
【請求項３３】
前記目標ネットワーク機器が目標ＰＬＭＮネットワーク機器であり、前記ソースネットワーク機器がソースＰＬＭＮネットワーク機器であり、前記ネットワーク機器は、更に、
目標アクセスネットワーク機器へ前記コンテクスト情報を送信するように構成される第４送信ユニットを備えることを特徴とする
請求項３０に記載のネットワーク機器。
【請求項３４】
前記ネットワーク機器は、更に、
第３指示情報を前記ソースＰＬＭＮネットワーク機器に送信するように構成される第５送信ユニットを備え、前記第３指示情報が、前記コンテクスト情報を解放するように前記ソースＰＬＭＮネットワーク機器に指示し、又はソースアクセスネットワーク機器が前記コンテクスト情報を解放するようにトリガーするように前記ソースＰＬＭＮネットワーク機器に指示することに用いられることを特徴とする
請求項３３に記載のネットワーク機器。
【請求項３５】
前記目標ネットワーク機器が目標アクセスネットワーク機器であり、前記ソースネットワーク機器がソースアクセスネットワーク機器であり、前記ネットワーク機器は、更に、
目標コアネットワーク機器又は目標ＰＬＭＮネットワーク機器へ前記コンテクスト情報を送信するように構成される第６送信ユニットを備えることを特徴とする
請求項３０に記載のネットワーク機器。
【請求項３６】
前記ネットワーク機器は、更に、
第４指示情報を前記ソースアクセスネットワーク機器に送信するように構成される第７送信ユニットを備え、前記第４指示情報が、前記コンテクスト情報を解放するように前記ソースアクセスネットワーク機器に指示し、又はソースコアネットワーク機器が前記コンテクスト情報を解放するようにトリガーするように前記ソースアクセスネットワーク機器に指示することに用いられることを特徴とする
請求項３５に記載のネットワーク機器。
【請求項３７】
前記ネットワーク機器は、更に、
前記目標ネットワーク機器が前記コンテクスト情報を取得したことを示すための第５指示情報を前記端末装置に送信するように構成される第８送信ユニットを備えることを特徴とする
請求項２７〜３６のいずれか１項に記載のネットワーク機器。
【請求項３８】
前記端末装置が無線リソース制御（ＲＲＣ）の非アクティブ状態にある端末装置であることを特徴とする
請求項２７〜３７のいずれか１項に記載のネットワーク機器。
【請求項３９】
ネットワーク機器であって、
前記ネットワーク機器がソースネットワーク機器であり、前記ネットワーク機器は、
端末装置が第１公衆陸上移動体ネットワーク（ＰＬＭＮ）から第２ＰＬＭＮまで移動し又は第１コアネットワークから第２コアネットワークまで移動した場合、目標ネットワーク機器から送信された、端末装置のコンテクスト情報を取得するように要求するための第１コンテクスト取得要求メッセージを受信するように構成される第１受信ユニットであって、前記端末装置の識別子を含む、第１受信ユニットと、
前記目標ネットワーク機器へ前記コンテクスト情報を送信するように構成される第１送信ユニットと、を備えることを特徴とする、前記ネットワーク機器。
【請求項４０】
前記ソースネットワーク機器がソースコアネットワーク機器又はソースＰＬＭＮネットワーク機器であり、前記目標ネットワーク機器が目標コアネットワーク機器又は目標ＰＬＭＮネットワーク機器であり、前記ネットワーク機器は、更に、
前記コンテクスト情報を取得するように要求するための第２コンテクスト取得要求メッセージをソースアクセスネットワーク機器に送信するように構成される第２送信ユニットと、
前記ソースアクセスネットワーク機器から送信された前記コンテクスト情報を受信するように構成される第２受信ユニットと、を備えることを特徴とする
請求項３９に記載のネットワーク機器。
【請求項４１】
前記ソースネットワーク機器がソースコアネットワーク機器又はソースＰＬＭＮネットワーク機器であり、前記目標ネットワーク機器が目標コアネットワーク機器又は目標ＰＬＭＮネットワーク機器であり、前記ネットワーク機器は、更に、
前記目標コアネットワーク機器から送信された第１指示情報を受信するように構成され、前記第１指示情報が、前記コンテクスト情報を解放するように前記ソースコアネットワーク機器に指示し、又はソースアクセスネットワーク機器が前記コンテクスト情報を解放するようにトリガーするように前記ソースコアネットワーク機器に指示することに用いられ、又は、
前記目標ＰＬＭＮネットワーク機器から送信された第１指示情報を受信するように構成され、前記第１指示情報が、前記コンテクスト情報を解放するように前記ソースＰＬＭＮネットワーク機器に指示することに用いられる第３受信ユニットと、
前記第１指示情報に基づき、前記コンテクスト情報を解放するように構成される第１解放ユニット、又は、前記ソースアクセスネットワーク機器へ前記第１指示情報を転送するように構成される第３送信ユニットと、を備えることを特徴とする
請求項３９又は４０に記載のネットワーク機器。
【請求項４２】
前記ソースネットワーク機器がソースアクセスネットワーク機器であり、前記目標ネットワーク機器が目標アクセスネットワーク機器であり、前記ネットワーク機器は、更に、
前記コンテクスト情報を取得するように要求するための第２コンテクスト取得要求メッセージをソースコアネットワーク機器又はソースＰＬＭＮネットワーク機器に送信するように構成される第４送信ユニットと、
前記ソースコアネットワーク機器又は前記ソースＰＬＭＮネットワーク機器から送信された前記コンテクスト情報を受信するように構成される第４受信ユニットと、を備えることを特徴とする
請求項３９に記載のネットワーク機器。
【請求項４３】
前記ソースネットワーク機器がソースアクセスネットワーク機器であり、前記目標ネットワーク機器が目標アクセスネットワーク機器であり、前記ネットワーク機器は、更に、
前記目標アクセスネットワーク機器から送信された第３指示情報を受信するように構成される第５受信ユニットであって、前記第３指示情報が、前記コンテクスト情報を解放するように前記ソースアクセスネットワーク機器に指示し、又はソースコアネットワーク機器又はソースＰＬＭＮネットワーク機器が前記コンテクスト情報を解放するようにトリガーするように前記ソースアクセスネットワーク機器に指示することに用いられる、第５受信ユニットと、
前記第３指示情報に基づき、前記コンテクスト情報を解放するように構成される第２解放ユニット、又は、前記ソースコアネットワーク機器又は前記ソースＰＬＭＮネットワーク機器へ前記第３指示情報を転送するように構成される第５送信ユニットと、を備えることを特徴とする
請求項３９又は４２に記載のネットワーク機器。
【請求項４４】
前記端末装置が無線リソース制御（ＲＲＣ）の非アクティブ状態にある端末装置であることを特徴とする
請求項３９〜４３のいずれか１項に記載のネットワーク機器。
【請求項４５】
端末装置であって、
前記端末装置が第１公衆陸上移動体ネットワーク（ＰＬＭＮ）から第２ＰＬＭＮまで移動し又は第１コアネットワークから第２コアネットワークまで移動したことを確定するように構成される確定ユニットと、
目標ネットワーク機器が前記端末装置のコンテクスト情報を取得するようにトリガーするように構成されるトリガーユニットと、を備えることを特徴とする、前記端末装置。
【請求項４６】
前記トリガーユニットは、具体的に、
前記目標ネットワーク機器へ前記コンテクスト情報を送信するように構成されることを特徴とする
請求項４５に記載の端末装置。
【請求項４７】
前記端末装置は、更に、
前記目標ネットワーク機器から送信された、前記コンテクスト情報を解放するように前記端末装置に指示するための指示情報を受信するように構成される受信ユニットと、
前記指示情報に基づき、前記コンテクスト情報を解放するように構成される解放ユニットと、を備えることを特徴とする
請求項４６に記載の端末装置。
【請求項４８】
前記トリガーユニットは、具体的に、
前記目標ネットワーク機器へソースネットワーク機器の情報を送信し、前記目標ネットワーク機器が前記ソースネットワーク機器から前記コンテクスト情報を取得するようにするように構成されることを特徴とする
請求項４５に記載の端末装置。
【請求項４９】
前記目標ネットワーク機器が目標コアネットワーク機器であり、前記ソースネットワーク機器がソースコアネットワーク機器であり、又は、前記目標ネットワーク機器が目標ＰＬＭＮネットワーク機器であり、前記ソースネットワーク機器がソースＰＬＭＮネットワーク機器であり、又は、前記目標ネットワーク機器が目標アクセスネットワーク機器であり、前記ソースネットワーク機器がソースアクセスネットワーク機器であることを特徴とする
請求項４８に記載の端末装置。
【請求項５０】
前記端末装置が無線リソース制御（ＲＲＣ）の非アクティブ状態にある端末装置であることを特徴とする
請求項４５〜４９のいずれか１項に記載の端末装置。
【発明の詳細な説明】
【技術分野】
【０００１】
本願の実施例は通信分野に関し、且つより具体的に、通信方法、ネットワーク機器及び端末装置に関する。
【背景技術】
【０００２】
従来のロングタームエボリューション（ＬＴＥ：Ｌｏｎｇ  Ｔｅｒｍ  Ｅｖｏｌｕｔｉｏｎ）システムにおいて、端末装置がネットワークと接続を確立した後、端末装置にサービスを提供するネットワーク機器が、該端末装置の対応するサービス情報を構築する。ネットワークサービスを使用している端末装置が移動するとき、通信の連続性及びサービス品質を確保するために、端末装置がハンドオーバーによって端末装置とネットワーク機器との接続を回復する必要があり、従来技術における解決手段はネットワークオーバーヘッドが大きい。
【発明の概要】
【発明が解決しようとする課題】
【０００３】
これに鑑みて、端末電量及びネットワークオーバーヘッドを節約するために、本願の実施例は通信方法、ネットワーク機器及び端末装置を提供し、それにより端末の移動特性を向上させる。
【課題を解決するための手段】
【０００４】
第１態様では、通信方法を提供し、該方法は、端末装置が第１公衆陸上移動体ネットワーク（ＰＬＭＮ：Ｐｕｂｌｉｃ  Ｌａｎｄ  Ｍｏｂｉｌｅ  Ｎｅｔｗｏｒｋ）から第２ＰＬＭＮまで移動し又は第１コアネットワークから第２コアネットワークまで移動した場合、目標ネットワーク機器が該端末装置のコンテクスト情報を取得することと、該目標ネットワーク機器が該コンテクスト情報に基づき、該端末装置と通信することと、を含む。
【０００５】
端末電量及びネットワークオーバーヘッドを節約するために、端末装置が異なるＰＬＭＮ又は異なるコアネットワークまで移動した場合、目標ネットワーク機器は端末装置のハンドオーバーをせずに、端末装置のコンテクスト情報を直接取得でき、それにより端末装置との接続を回復でき、これにより、端末の移動特性を向上させる。
【０００６】
好ましくは、該端末装置が無線リソース制御（ＲＲＣ：Ｒａｄｉｏ  Ｒｅｓｏｕｒｃｅ  Ｃｏｎｔｒｏｌ）アイドル状態、ＲＲＣの非アクティブ状態にある端末装置であってもよい。
【０００７】
可能な実現方式では、該目標ネットワーク機器が該端末装置のコンテクスト情報を取得することは、該目標ネットワーク機器が該端末装置から送信された該コンテクスト情報を受信することを含む。
【０００８】
可能な実現方式では、該目標ネットワーク機器が該端末装置から送信された該コンテクスト情報を受信した後、該方法は、更に、該目標ネットワーク機器が、該コンテクスト情報を解放するように該端末装置に指示するための第１指示情報を該端末装置に送信することを含む。
【０００９】
可能な実現方式では、該方法は、更に、該目標ネットワーク機器が該端末装置から送信されたソースネットワーク機器の情報を受信することを含み、該目標ネットワーク機器が該端末装置のコンテクスト情報を取得することは、該目標ネットワーク機器が該ソースネットワーク機器の情報に基づき、該コンテクスト情報を要求するためのコンテクスト取得要求メッセージを該ソースネットワーク機器に送信することであって、該コンテクスト取得要求メッセージが、該端末装置の識別子を含むことと、該目標ネットワーク機器が該ソースネットワーク機器から送信された該コンテクスト情報を受信することと、を含む。
【００１０】
可能な実現方式では、該目標ネットワーク機器が目標コアネットワーク機器であり、該ソースネットワーク機器がソースコアネットワーク機器であり、該方法は、更に、該目標コアネットワーク機器が目標アクセスネットワーク機器へ該コンテクスト情報を送信することを含む。
【００１１】
可能な実現方式では、該目標コアネットワーク機器が該ソースコアネットワーク機器から送信された該コンテクスト情報を受信した後、該方法は、更に、該目標コアネットワーク機器が第２指示情報を該ソースコアネットワーク機器に送信することであって、該第２指示情報が、該コンテクスト情報を解放するように該ソースコアネットワーク機器に指示し、又はソースアクセスネットワーク機器が該コンテクスト情報を解放するようにトリガーするように該ソースコアネットワーク機器に指示することに用いられる、ことを含む。
【００１２】
可能な実現方式では、該目標ネットワーク機器が目標ＰＬＭＮネットワーク機器であり、該ソースネットワーク機器がソースＰＬＭＮネットワーク機器であり、該方法は、更に、該目標ＰＬＭＮネットワーク機器が目標アクセスネットワーク機器へ該コンテクスト情報を送信することを含む。
【００１３】
可能な実現方式では、該目標ＰＬＭＮネットワーク機器が該ソースＰＬＭＮネットワーク機器から送信された該コンテクスト情報を受信した後、該方法は、更に、該目標ＰＬＭＮネットワーク機器が、第３指示情報を該ソースＰＬＭＮネットワーク機器に送信することであって、該第３指示情報が、該コンテクスト情報を解放するように該ソースＰＬＭＮネットワーク機器に指示し、又は該ソースアクセスネットワーク機器が該コンテクスト情報を解放するようにトリガーするようにソースＰＬＭＮネットワーク機器に指示することに用いられることを含む。
【００１４】
可能な実現方式では、該目標ネットワーク機器が目標アクセスネットワーク機器であり、該ソースネットワーク機器がソースアクセスネットワーク機器であり、該方法は、更に、該目標アクセスネットワーク機器が目標コアネットワーク機器又は目標ＰＬＭＮネットワーク機器へ該コンテクスト情報を送信することを含む。
【００１５】
可能な実現方式では、該目標アクセスネットワーク機器が該ソースアクセスネットワーク機器から送信された該コンテクスト情報を受信した後、該方法は、更に、該目標アクセスネットワーク機器が、第４指示情報を該ソースアクセスネットワーク機器に送信することであって、該第４指示情報が、該コンテクスト情報を解放するように該ソースアクセスネットワーク機器に指示し、又はソースコアネットワーク機器が該コンテクスト情報を解放するようにトリガーするように該ソースアクセスネットワーク機器に指示することに用いられること、を含む。
【００１６】
可能な実現方式では、該目標ネットワーク機器が該端末装置のコンテクスト情報を取得した後、該方法は、更に、該目標ネットワーク機器が、該目標ネットワーク機器が該コンテクスト情報を取得したことを示すための第５指示情報を該端末装置に送信することを含む。
【００１７】
第２態様では、通信方法を提供し、該方法は、端末装置が第１公衆陸上移動体ネットワーク（ＰＬＭＮ）から第２ＰＬＭＮまで移動し又は第１コアネットワークから第２コアネットワークまで移動した場合、ソースネットワーク機器が目標ネットワーク機器から送信された、該端末装置の識別子が含まれる、端末装置のコンテクスト情報を取得するように要求するための第１コンテクスト取得要求メッセージを受信することと、該ソースネットワーク機器が該目標ネットワーク機器へ該コンテクスト情報を送信することと、を含む。
【００１８】
可能な実現方式では、該ソースネットワーク機器がソースコアネットワーク機器であり、該目標ネットワーク機器が目標コアネットワーク機器であり、該方法は、更に、該ソースコアネットワーク機器が該コンテクスト情報を取得するように要求するための第２コンテクスト取得要求メッセージをソースアクセスネットワーク機器に送信することと、該ソースコアネットワーク機器が該ソースアクセスネットワーク機器から送信された該コンテクスト情報を受信することと、を含む。
【００１９】
可能な実現方式では、該ソースネットワーク機器がソースコアネットワーク機器であり、該目標ネットワーク機器が目標コアネットワーク機器であり、該ソースコアネットワーク機器が該目標コアネットワーク機器へ該コンテクスト情報を送信した後、該方法は、更に、該ソースコアネットワーク機器が、該目標コアネットワーク機器から送信された、第１指示情報を受信することであって、該第１指示情報が、該コンテクスト情報を解放するように該ソースコアネットワーク機器に指示し、又はソースアクセスネットワーク機器が該コンテクスト情報を解放するようにトリガーするように該ソースコアネットワーク機器に指示することに用いられる、ことと、該ソースコアネットワーク機器が該第１指示情報に基づき、該コンテクスト情報を解放し、又は、該ソースコアネットワーク機器が該ソースアクセスネットワーク機器へ該第１指示情報を転送することと、を含む。
【００２０】
可能な実現方式では、該ソースネットワーク機器がソースＰＬＭＮネットワーク機器であり、該目標ネットワーク機器が目標ＰＬＭＮネットワーク機器であり、該方法は、更に、該ソースＰＬＭＮネットワーク機器が該コンテクスト情報を取得するように要求するための第２コンテクスト取得要求メッセージをソースアクセスネットワーク機器に送信することと、該ソースＰＬＭＮネットワーク機器が該ソースアクセスネットワーク機器から送信された該コンテクスト情報を受信することと、を含む。
【００２１】
可能な実現方式では、該ソースネットワーク機器がソースＰＬＭＮネットワーク機器であり、該目標ネットワーク機器が目標ＰＬＭＮネットワーク機器であり、該ソースＰＬＭＮネットワーク機器が該目標ＰＬＭＮネットワーク機器へ該コンテクスト情報を送信した後、該方法は、更に、該ソースＰＬＭＮネットワーク機器が、該目標ＰＬＭＮネットワーク機器から送信された第２指示情報を受信することであって、該第２指示情報が、該コンテクスト情報を解放するように該ソースＰＬＭＮネットワーク機器に指示し、又は該ソースアクセスネットワーク機器が該コンテクスト情報を解放するようにトリガーするようにソースＰＬＭＮネットワーク機器に指示することに用いられることと、該ソースＰＬＭＮネットワーク機器が該第２指示情報に基づき、該コンテクスト情報を解放し、又は、該ソースＰＬＭＮネットワーク機器が該ソースアクセスネットワーク機器へ該第２指示情報を転送することと、を含む。
【００２２】
可能な実現方式では、該ソースネットワーク機器がソースアクセスネットワーク機器であり、該目標ネットワーク機器が目標アクセスネットワーク機器であり、該方法は、更に、該ソースアクセスネットワーク機器が該コンテクスト情報を取得するように要求するための第２コンテクスト取得要求メッセージをソースコアネットワーク機器又はソースＰＬＭＮネットワーク機器に送信することと、該ソースアクセスネットワーク機器が該ソースコアネットワーク機器又は該ソースＰＬＭＮネットワーク機器から送信された該コンテクスト情報を受信することと、を含む。
【００２３】
可能な実現方式では、該ソースネットワーク機器がソースアクセスネットワーク機器であり、該目標ネットワーク機器が目標アクセスネットワーク機器であり、該ソースアクセスネットワーク機器が該目標アクセスネットワーク機器へ該コンテクスト情報を送信した後、該方法は、更に、該ソースアクセスネットワーク機器が、該目標アクセスネットワーク機器から送信された第３指示情報を受信することであって、該第３指示情報が、該コンテクスト情報を解放するように該ソースアクセスネットワーク機器に指示し、又はソースコアネットワーク機器又はソースＰＬＭＮネットワーク機器が該コンテクスト情報を解放するようにトリガーするように該ソースアクセスネットワーク機器に指示することに用いられることと、該ソースアクセスネットワーク機器が該第３指示情報に基づき、該コンテクスト情報を解放し、又は、該ソースアクセスネットワーク機器が該ソースコアネットワーク機器又は該ソースＰＬＭＮネットワーク機器へ該第３指示情報を転送することと、を含む。
【００２４】
可能な実現方式では、該端末装置が無線リソース制御（ＲＲＣ）の非アクティブ状態にある端末装置である。
【００２５】
第３態様では、通信方法を提供し、該方法は、端末装置が第１公衆陸上移動体ネットワーク（ＰＬＭＮ）から第２ＰＬＭＮまで移動し又は第１コアネットワークから第２コアネットワークまで移動した場合、該端末装置が、目標ネットワーク機器が該端末装置のコンテクスト情報を取得するようにトリガーすることを含む。
【００２６】
可能な実現方式では、該端末装置が、目標ネットワーク機器が該端末装置のコンテクスト情報を取得するようにトリガーすることは、該端末装置が該目標ネットワーク機器へ該コンテクスト情報を送信することを含む。
【００２７】
可能な実現方式では、該端末装置が該目標ネットワーク機器へ該コンテクスト情報を送信した後、該方法は、更に、該端末装置が、該目標ネットワーク機器から送信された、該コンテクスト情報を解放するように該端末装置に指示するための指示情報を受信することと、該端末装置が該指示情報に基づき、該コンテクスト情報を解放することと、を含む。
【００２８】
可能な実現方式では、該端末装置が目標ネットワーク機器が該端末装置のコンテクスト情報を取得するようにトリガーすることは、該目標ネットワーク機器が該ソースネットワーク機器から該コンテクスト情報を取得するために、該端末装置が該目標ネットワーク機器へソースネットワーク機器の情報を送信することを含む。
【００２９】
可能な実現方式では、該目標ネットワーク機器が目標コアネットワーク機器であり、該ソースネットワーク機器がソースコアネットワーク機器であり、又は、該目標ネットワーク機器が目標ＰＬＭＮネットワーク機器であり、該ソースネットワーク機器がソースＰＬＭＮネットワーク機器であり、又は、該目標ネットワーク機器が目標アクセスネットワーク機器であり、該ソースネットワーク機器がソースアクセスネットワーク機器である。
【００３０】
可能な実現方式では、該端末装置が無線リソース制御（ＲＲＣ）の非アクティブ状態にある端末装置である。
【００３１】
第４態様では、ネットワーク機器を提供し、上記第１態様又は第１態様のいずれか１つの可能な実現方式における方法を実行することに用いられる。具体的に、該ネットワーク機器は上記第１態様又は第１態様のいずれか１つの可能な実現方式における方法を実行するように構成されるユニットを備える。
【００３２】
第５態様では、ネットワーク機器を提供し、上記第２態様又は第２態様のいずれか１つの可能な実現方式における方法を実行することに用いられる。具体的に、該ネットワーク機器は上記第２態様又は第２態様のいずれか１つの可能な実現方式における方法を実行するように構成されるユニットを備える。
【００３３】
第６態様では、端末装置を提供し、上記第３態様又は第３態様のいずれか１つの可能な実現方式における方法を実行することに用いられる。具体的に、該端末装置は上記第３態様又は第３態様のいずれか１つの可能な実現方式における方法を実行するように構成されるユニットを備える。
【００３４】
第７態様では、ネットワーク機器を提供し、該ネットワーク機器はメモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行して、上記第１態様又は第１態様のいずれか１つの可能な実現方式における方法を実行することに用いられる。
【００３５】
第８態様では、ネットワーク機器を提供し、該ネットワーク機器はメモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行して、上記第２態様又は第２態様のいずれか１つの可能な実現方式における方法を実行することに用いられる。
【００３６】
第９態様では、端末装置を提供し、該端末装置はメモリ、プロセッサ、入力インターフェース及び出力インターフェースを備える。メモリ、プロセッサ、入力インターフェース及び出力インターフェースがバスシステムによって接続される。該メモリが命令を記憶することに用いられ、該プロセッサが該メモリに記憶される命令を実行して、上記第３態様又は第３態様のいずれか１つの可能な実現方式における方法を実行することに用いられる。
【００３７】
第１０態様では、コンピュータ記憶媒体を提供し、上記第１態様又は第１態様のいずれか１つの可能な実現方式における方法、又は上記第２態様又は第２態様のいずれか１つの可能な実現方式における方法、又は上記第３態様又は第３態様のいずれか１つの可能な実現方式における方法を実行するために用いた、上記態様を実行するために設計したプログラムを含むコンピュータソフトウェア命令を記憶することに用いられる。
【００３８】
第１１態様では、命令を含むコンピュータプログラム製品を提供し、コンピュータにおいて実行されるとき、コンピュータが上記第１態様又は第１態様のいずれか１つの可能な実現方式における方法、又は上記第２態様又は第２態様のいずれか１つの可能な実現方式における方法、又は上記第３態様又は第３態様のいずれか１つの可能な実現方式における方法を実行する。
【００３９】
本願のこれらの態様又は他の態様は以下の実施例の説明において明らかになる。
【図面の簡単な説明】
【００４０】
【図１】図１は本願の実施例に係る実施環境の模式図である。
【図２】図２はセルハンドオーバー方法の模式的なフローチャートである。
【図３】図３は本願の実施例に係る通信方法の模式的なブロック図である。
【図４】図４は本願の実施例に係る通信方法の他の模式的なブロック図である。
【図５】図５は本願の実施例に係る通信方法の別の模式的なブロック図である。
【図６】図６は本願の実施例に係る通信方法の別の模式的なブロック図である。
【図７】図７は本願の実施例に係る通信方法の別の模式的なブロック図である。
【図８】図８は本願の実施例に係る通信方法の別の模式的なブロック図である。
【図９】図９は本願の実施例に係るネットワーク機器の模式的なブロック図である。
【図１０】図１０は本願の実施例に係るネットワーク機器の他の模式的なブロック図である。
【図１１】図１１は本願の実施例に係る端末装置の模式的なフローチャートである。
【図１２】図１２は本願の実施例に係るネットワーク機器の別の模式的なブロック図である。
【図１３】図１３は本願の実施例に係るネットワーク機器の別の模式的なブロック図である。
【図１４】図１４は本願の実施例に係る端末装置の他の模式的なフローチャートである。
【発明を実施するための形態】
【００４１】
以下、本願の実施例の図面を参照しながら、本願の実施例の技術案を明確且つ完全に説明する。
【００４２】
本発明の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の新無線（ＮＲ：Ｎｅｗ  Ｒａｄｉｏ）システム等に適用されてもよいと理解すべきである。
【００４３】
特に、本発明の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本発明の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００４４】
図１は本願の実施例に係る実施環境の模式図である。該実施環境は端末装置１１０、アクセスネットワーク機器１２０及びコアネットワーク機器１３０を含む。Ｓ１インターフェースがアクセスネットワーク機器とコアネットワーク機器との通信に使用され、Ｘ２インターフェースがアクセスネットワーク機器間の通信に使用され、Ｕｕインターフェースが端末装置とアクセスネットワーク機器との通信に使用される。
【００４５】
本願の実施例では、端末装置１１０は無線アクセスネットワーク（ＲＡＮ：Ｒａｄｉｏ  Ａｃｃｅｓｓ  Ｎｅｔｗｏｒｋ）経由で１つ又は複数のコアネットワークと通信することができ、該端末装置がアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスと称されてもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス及び将来の５Ｇ（５ｔｈ  Ｇｅｎｅｒａｔｉｏｎ）ネットワークにおける端末装置であってもよい。
【００４６】
アクセスネットワーク機器１２０はアクセスネットワークにおけるネットワーク要素である。図１に示すように、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）を例とすれば、アクセスネットワーク機器１２０は基地局（ＮＢ：Ｎｏｄｅ  Ｂａｓｅ）であってもよいし、無線ネットワーク制御装置（ＲＮＣ：Ｒａｄｉｏ  Ｎｅｔｗｏｒｋ  Ｃｏｎｔｒｏｌｌｅｒ）であってもよい。ＬＴＥ無線ネットワークアーキテクチャにおいて、基地局は発展型基地局（ｅＮＢ：Ｅｖｏｌｖｅｄ  Ｎｏｄｅ  Ｂａｓｅ  ｓｔａｔｉｏｎ）であってもよい。
【００４７】
コアネットワーク機器１３０はコアネットワーク（ＣＮ：Ｃｏｒｅ  Ｎｅｔｗｏｒｋ）におけるネットワーク要素である。ＬＴＥ無線ネットワークアーキテクチャを例とすれば、コアネットワーク機器１３０はモビリティ管理エンティティ（ＭＭＥ：Ｍｏｂｉｌｉｔｙ  Ｍａｎａｇｅｍｅｎｔ  Ｅｎｔｉｔｙ）、サービングゲートウェイ（Ｓ−ＧＷ：Ｓｅｒｖｉｎｇ  Ｇａｔｅｗａｙ）及びパケットデータゲートウェイ（Ｐ−ＧＷ：ＰＤＮ  Ｇａｔｅｗａｙ）を備える。ＭＭＥは主に端末装置１１０のモビリティ管理及びセッション管理を完了することに用いられる。Ｓ−ＧＷは主にｅＮＢとＰ−ＧＷとの間のデータを転送することに用いられる。Ｐ−ＧＷは主にインターネットプロトコル（ＩＰ：Ｉｎｔｅｒｎｅｔ  Ｐｒｏｔｏｃｏｌ）データサービスを処理することに用いられる。
【００４８】
従来のロングタームエボリューションＬＴＥシステムにおいて、端末装置がネットワークと接続を確立した後、端末装置にサービスを提供するネットワーク機器が該端末装置のために対応するサービス情報を構築する。ネットワークサービスを使用している端末装置が１つの公衆陸上移動体ネットワーク（ＰＬＭＮ：Ｐｕｂｌｉｃ  Ｌａｎｄ  Ｍｏｂｉｌｅ  Ｎｅｔｗｏｒｋ）から他のＰＬＭＮまで移動し又は１つのコアネットワークから他のコアネットワークまで移動した場合、通信の連続性及びサービス品質を確保するために、端末装置はハンドオーバーによって端末装置とネットワーク機器との接続を回復する必要がある。
【００４９】
理解都合上、まず図２を参照しながらセルハンドオーバー方法を簡単に説明する。図２はセルハンドオーバー方法の模式的なフローチャートである。図２に示される方法は以下を含む。
【００５０】
２０１、端末がソースアクセスネットワーク機器（ソースセルの属するアクセスネットワーク機器）との初期アクセス過程を完了する。この時、該端末がアイドル状態から接続状態に入る。
【００５１】
２０２、ソースアクセスネットワーク機器が該端末の属するＭＭＥとコンテクストセッションを確立することにより、該端末のコンテクスト情報を取得する。
【００５２】
２０３、ソースアクセスネットワーク機器が該端末のコンテクスト情報を記憶する。
【００５３】
２０４、端末が隣接セルの測定過程を完了する。アクセスネットワーク機器は測定レポートに基づいて該端末がセルハンドオーバーを行うかどうかを確定することを可能にするために、該端末がソースアクセスネットワーク機器から送信された構成情報に基づき、測定オブジェクトを測定して、ソースアクセスネットワーク機器へ測定レポートを送信する。
【００５４】
２０５、ソースアクセスネットワーク機器は該端末がハンドオーバーする必要があると確定する場合、該ソースアクセスネットワーク機器は該端末のコンテクスト情報が含まれるハンドオーバー要求を目標アクセスネットワーク機器に送信する。
【００５５】
２０６、目標アクセスネットワーク機器が該端末のコンテクスト情報を記憶する。
【００５６】
２０７、目標アクセスネットワーク機器がソースアクセスネットワーク機器へハンドオーバー確認要求を送信する。
【００５７】
２０８、ソースアクセスネットワーク機器が端末を目標アクセスネットワーク機器にハンドオーバーする。
【００５８】
２０９、Ｓ１パスをソースアクセスネットワーク機器から目標アクセスネットワーク機器に移動する。端末が目標アクセスネットワーク機器にアクセスされた後、端末のサービスを目標アクセスネットワーク機器に移動して、ユーザープレーンと制御プレーンとのノード関係を更新することをコアネットワークネットワーク要素に通知するために、目標アクセスネットワーク機器がコアネットワークネットワーク要素へパスハンドオーバー要求を送信する。
【００５９】
上記解決手段によれば、端末装置がソースアクセスネットワーク機器にカバレッジされるセルから目標アクセスネットワーク機器にカバレッジされるセル内に移動し、端末装置がハンドオーバー方式で端末装置とアクセスネットワークエンティティとの接続を回復し、つまり、端末装置はまず端末装置のコンテクスト情報が含まれる、ソースアクセスネットワーク機器から目標アクセスネットワーク機器へハンドオーバーするように要求することをソースアクセスネットワーク機器に通知する必要があり、端末装置はソースアクセスネットワーク機器と複数回対話しなければ接続を回復できず、このため、より多いエネルギーを消費した。
【００６０】
ＬＴＥ発展及び将来の無線システムについての研究において、端末が接続状態にあるとき、ハンドオーバーせずに自主的に移動でき、使用される移動方法がＬＴＥネットワークにおけるセル選択又はセル再選択に類似する。つまり、端末がネットワークに通知せずに（ハンドオーバーとの相違点）、ネットワークに設定されたパラメータに基づき、自主的に移動する。端末が異なるコアネットワーク又は異なるＰＬＭＮまで移動した場合、端末装置のコンテクスト情報が端末装置自体又は以前に端末装置にサービスを提供するアクセスネットワーク機器又はコアネットワーク機器又はＰＬＭＮ機器に記憶される可能性があり、端末装置は現在のコアネットワーク又はＰＬＭＮ経由でデータ伝送を行う必要がある場合、伝送を回復するために、現在のネットワーク機器が端末装置又は前のネットワーク機器から端末装置のコンテクスト情報を取得できる。
【００６１】
本明細書において、本明細書における用語「システム」と「ネットワーク」が常に交換可能に使用されると理解すべきである。本明細書における用語「及び／又は」は、関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００６２】
図３は本願の実施例の通信方法３００の模式的なブロック図である。図３に示すように、該通信方法３００は以下の一部又は全部を含む。
【００６３】
Ｓ３１０、端末装置が第１公衆陸上移動体ネットワーク（ＰＬＭＮ）から第２ＰＬＭＮまで移動し又は第１コアネットワークから第２コアネットワークまで移動した場合、目標ネットワーク機器が該端末装置のコンテクスト情報を取得し、
Ｓ３２０、該目標ネットワーク機器が該コンテクスト情報に基づき、該端末装置と通信する。
【００６４】
本願の実施例は端末装置と目標ネットワーク機器との接続に適用されてもよいが、該端末装置のコンテクスト情報がソースネットワーク機器に記憶され、つまり、該端末装置のコンテクスト情報が記憶されるネットワーク機器であれば、本願の実施例のソースネットワーク機器とされてもよい。
【００６５】
本願の実施例のネットワーク機器はアクセスネットワーク機器であってもよく、コアネットワーク機器であってもよく、更にＰＬＭＮネットワーク機器であってもよいと理解すべきである。つまり、ソースネットワーク機器と目標ネットワーク機器とが異なるアクセスネットワーク機器であってもよく、又は、ソースネットワーク機器と目標ネットワーク機器とが異なるコアネットワーク機器であってもよく、又は、ソースネットワーク機器と目標ネットワーク機器とが異なるＰＬＭＮネットワーク機器であってもよく、その属するコアネットワークが同じであってもよいし、異なってもよい。本願の実施例では、ＰＬＭＮネットワーク機器の実現する機能はコアネットワーク機器の実現する機能と同様であり、以下、主にコアネットワーク機器を例として説明するが、ＰＬＭＮネットワーク機器がコアネットワーク機器の具体的な実現を参照してもよいと更に理解すべきである。
【００６６】
具体的に、端末装置は現在移動しているコアネットワーク又はＰＬＭＮが以前と異なると確定すれば、端末装置がネットワーク機器とシグナリングを交換せずに端末装置のコンテクスト情報を構築してもよく、目標ネットワーク機器が端末装置又はソースネットワーク機器から端末装置のコンテクスト情報を取得してもよく、例えば、端末装置がアップリンクデータを送信する必要があって、端末装置のコンテクスト情報が端末装置に記憶される場合、端末装置が目標アクセスネットワーク機器へそのコンテクスト情報を直接送信できるようになり、このようにすれば、ネットワーク機器が端末装置と伝送を迅速に回復でき、そうすると端末装置がネットワーク機器へアップリンクデータを直接送信できるようになる。
【００６７】
従って、本願の実施例の通信方法において、端末電量及びネットワークオーバーヘッドを節約するために、端末装置が異なるＰＬＭＮ又は異なるコアネットワークまで移動した場合、目標ネットワーク機器が端末装置のハンドオーバーをせずに端末装置のコンテクスト情報を直接取得でき、それにより端末装置との接続を回復でき、これにより、端末の移動特性を向上させる。
【００６８】
好ましくは、本願の実施例では、端末装置のコンテクスト情報が端末装置、ソースアクセスネットワーク機器及びソースコアネットワーク機器に記憶されてもよい。つまり、目標ネットワーク機器が端末装置、ソースアクセスネットワーク機器及びソースコアネットワーク機器のうちのいずれか１つから端末装置のコンテクスト情報を取得できる。
【００６９】
以下、図４〜図６を参照しながら目標ネットワーク機器が端末装置、ソースアクセスネットワーク機器及びソースコアネットワークから端末装置のコンテクスト情報を取得する具体的なプロセスをそれぞれ説明する。
【００７０】
図４は本願の実施例の通信方法１０の模式的なフローチャートである。該方法１０は端末装置のコンテクスト情報が端末装置に記憶されるシーンに適用される。図４に示すように、該方法１０は以下の一部又は全部を含む。
【００７１】
Ｓ１１、端末装置はそれが異なるコアネットワークまで移動したと確定できる場合、目標アクセスネットワーク機器へ該端末装置のコンテクスト情報を直接送信することが可能である。
【００７２】
Ｓ１２、目標アクセスネットワーク機器は端末装置から送信された端末装置のコンテクスト情報を受信した後、該端末装置のコンテクスト情報を目標コアネットワーク機器に転送することが可能である。
【００７３】
Ｓ１３、端末装置はそれが異なるコアネットワークまで移動したと確定できる場合、目標コアネットワーク機器へ該端末装置のコンテクスト情報を直接送信することが可能である。
【００７４】
Ｓ１４、目標アクセスネットワーク機器は端末装置から送信された該端末装置のコンテクスト情報を受信した後、コンテクスト情報を解放するように該端末装置に指示する指示情報を端末装置に送信することが可能である。
【００７５】
Ｓ１５、目標コアネットワーク機器は端末装置又は目標アクセスネットワーク機器から転送されたコンテクスト情報を受信した後、コンテクスト情報を解放するように該端末装置に指示する指示情報を端末装置に送信することが可能である。
【００７６】
本願の様々な実施例では、上記各過程の番号の順位は実行順序の前後を意味せず、各過程の実行順序はその機能及び内部論理によって確定されるべきであり、本願の実施例の実施過程を制限するためのものではないと理解すべきである。
【００７７】
図５は本願の実施例の通信方法２０の模式的なフローチャートである。該方法２０は端末装置のコンテクスト情報がソースアクセスネットワーク機器に記憶されるシーンに適用される。図５に示すように、該方法２０は以下の一部又は全部を含む。
【００７８】
Ｓ２１、端末装置はそれが異なるコアネットワークまで移動したと確定できる場合、目標アクセスネットワーク機器へソースアクセスネットワーク機器のいくつかの情報を送信してもよく、該情報に基づき目標アクセスネットワーク機器によってソースアクセスネットワーク機器を検索することができる。例えば、該情報はコアネットワーク機器がソースアクセスネットワーク機器に割り当てた識別子であってもよいし、端末装置とソースアクセスネットワーク機器とのパス識別子又はコアネットワーク機器とソースアクセスネットワーク機器とのパス識別子であってもよく、ソースアクセスネットワーク機器を識別する識別子はいずれも本願の実施例の識別情報とされてもよく、本発明はこれを制限しない。
【００７９】
Ｓ２２、目標アクセスネットワーク機器は該ソースアクセスネットワーク機器の情報を受信した後、ソースアクセスネットワーク機器へコンテクスト取得要求メッセージを送信してもよく、好ましくは、該コンテクスト取得要求メッセージに端末装置の識別情報が含まれてもよく、例えば該端末装置の識別情報はソースアクセスネットワーク機器が端末装置に割り当てた識別子であってもよく、グローバル一意臨時ＵＥ識別子（ＧＵＴＩ：Ｇｌｏｂａｌｌｙ  Ｕｎｉｑｕｅ  Ｔｅｍｐｏｒａｒｙ  ＵＥ  Ｉｄｅｎｔｉｔｙ）であってもよく、更に国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）等の他の端末識別子であってもよく、端末装置を識別できる識別子はいずれも本願の実施例の識別情報とされてもよい。
【００８０】
Ｓ２３、ソースアクセスネットワーク機器は目標アクセスネットワーク機器から送信されたコンテクスト取得要求メッセージを受信した後、含まれる端末装置の識別情報に基づき、まず該端末装置のコンテクスト情報を検索し、更に検索されたコンテクスト情報を目標アクセスネットワーク機器に送信することが可能である。
【００８１】
Ｓ２４、目標アクセスネットワーク機器がソースアクセスネットワーク機器から送信された端末装置のコンテクスト情報を受信した後、目標アクセスネットワーク機器が該コンテクスト情報を目標コアネットワーク機器に転送するように選択することが可能である。
【００８２】
Ｓ２５、目標コアネットワーク機器は目標アクセスネットワーク機器から転送された端末装置のコンテクスト情報を受信した後、指示情報をソースコアネットワーク機器に送信するように選択することが可能であり、ソースアクセスネットワーク機器が該端末装置のコンテクスト情報を解放するようにトリガーするようにソースコアネットワーク機器に指示する。
【００８３】
Ｓ２６、ソースコアネットワーク機器が目標コアネットワーク機器から送信された指示情報を受信した後、ソースコアネットワーク機器は、指示情報をソースアクセスネットワーク機器に送信して、該端末装置のコンテクスト情報を解放するように指示することが可能である。
【００８４】
Ｓ２７、目標アクセスネットワーク機器はソースアクセスネットワーク機器から送信された端末装置のコンテクスト情報を受信した後、ソースアクセスネットワーク機器が該端末装置のコンテクスト情報を解放するように直接指示することが可能である。
【００８５】
Ｓ２８、目標アクセスネットワーク機器はソースアクセスネットワーク機器から送信された端末装置のコンテクスト情報を受信した後、端末装置へ指示情報を送信して、目標アクセスネットワーク機器が該端末装置のコンテクスト情報を取得したことを端末装置に通知し、つまり目標アクセスネットワーク機器が端末装置との通信の準備をしたことを端末装置に通知することが可能である。
【００８６】
Ｓ２９、目標コアネットワーク機器は目標アクセスネットワーク機器から転送された端末装置のコンテクスト情報を受信した後、端末装置へ指示情報を送信して、目標コアネットワーク機器が該端末装置のコンテクスト情報を取得したことを端末装置に通知し、つまり目標コアネットワーク機器が端末装置との通信の準備をしたことを端末装置に通知することが可能である。
【００８７】
好ましくは、端末装置が目標コアネットワーク機器にソースコアネットワーク機器の情報を直接報告してもよく、そうすると目標コアネットワーク機器が報告されたソースコアネットワーク機器の情報に基づいてソースコアネットワーク機器へコンテクスト取得要求メッセージを送信してもよく、ソースコアネットワーク機器はソースアクセスネットワーク機器へ該コンテクスト取得要求メッセージを直接転送してもよいし、ソースアクセスネットワークへ他のコンテクスト取得要求メッセージを改めて送信してもよいが、ソースコアネットワーク機器がソースアクセスネットワーク機器へ送信した該コンテクスト取得要求メッセージには端末装置の識別子が含まれてもよく、該識別子は目標コアネットワーク機器がソースコアネットワーク機器へ送信したコンテクスト取得要求メッセージに含まれる端末装置の識別子と異なってもよいし、同じであってもよく、更に端末装置の識別子が含まれなくてもよく、本願の実施例は制限しない。ソースアクセスネットワーク機器はソースコアネットワーク機器から送信されたコンテクスト取得要求メッセージを受信した後、端末装置のコンテクスト情報をソースコアネットワーク機器に送信してもよく、ソースコアネットワーク機器は更に該コンテクスト情報を目標コアネットワーク機器に転送してもよく、更に、目標コアネットワーク機器は目標アクセスネットワーク機器へ該コンテクスト情報を転送してもよい。
【００８８】
本願の様々な実施例では、上記各過程の番号の順位は実行順序の前後を意味せず、各過程の実行順序はその機能及び内部論理によって確定されるべきであり、本願の実施例の実施過程を制限するためのものではないと理解すべきである。
【００８９】
図６は本願の実施例の通信方法３０の模式的なフローチャートである。該方法３０は端末装置のコンテクスト情報がソースコアネットワーク機器に記憶されるシーンに適用される。図６に示すように、該方法３０は以下の一部又は全部を含む。
【００９０】
Ｓ３１、端末装置はそれが異なるコアネットワークまで移動したと確定できる場合、目標アクセスネットワーク機器へソースコアネットワーク機器のいくつかの情報を送信してもよく、該情報に基づき目標アクセスネットワーク機器によってソースアクセスネットワーク機器を検索することができる。
【００９１】
Ｓ３２、目標コアネットワーク機器が該ソースコアネットワーク機器の情報を受信した後、ソースコアネットワーク機器へコンテクスト取得要求メッセージを送信することが可能であり、好ましくは、該コンテクスト取得要求メッセージに端末装置の識別情報が含まれてもよく、例えば該端末装置の識別情報はソースアクセスネットワーク機器が端末装置に割り当てた識別子であってもよく、ＧＵＴＩであってもよく、更にＩＭＳＩ等の他の端末識別子であってもよく、端末装置を識別できる識別子はいずれも本願の実施例の識別情報とされてもよい。
【００９２】
Ｓ３３、ソースコアネットワーク機器は目標コアネットワーク機器から送信されたコンテクスト取得要求メッセージを受信した後、含まれる端末装置の識別情報に基づき、まず該端末装置のコンテクスト情報を検索し、更に検索されたコンテクスト情報を目標コアネットワーク機器に送信することが可能である。
【００９３】
Ｓ３４、目標コアネットワーク機器がソースコアネットワーク機器から送信された端末装置のコンテクスト情報を受信した後、目標コアネットワーク機器が該コンテクスト情報を目標アクセスネットワーク機器に転送するように選択することが可能である。
【００９４】
Ｓ３５、目標コアネットワーク機器は目標アクセスネットワーク機器から転送された端末装置のコンテクスト情報を受信した後、指示情報をソースコアネットワーク機器に送信するように選択することができ、該端末装置のコンテクスト情報を直接解放するようにソースコアネットワーク機器に指示する。
【００９５】
Ｓ３６、目標アクセスネットワーク機器は目標コアネットワーク機器から転送された端末装置のコンテクスト情報を受信した後、指示情報をソースアクセスネットワーク機器に送信して、ソースコアネットワーク機器が該端末装置のコンテクスト情報を解放するようにトリガーするようにソースアクセスネットワーク機器に指示することが可能である。
【００９６】
Ｓ３７、ソースアクセスネットワーク機器は、目標アクセスネットワーク機器から送信された、ソースコアネットワークがコンテクスト情報を解放するようにトリガーすることを指示するための指示情報を受信した後、指示情報をソースコアネットワーク機器に直接送信して、コンテクスト情報を解放するように指示することが可能である。
【００９７】
Ｓ３８、目標アクセスネットワーク機器は目標コアネットワーク機器から転送された端末装置のコンテクスト情報を受信した後、端末装置へ指示情報を送信して、目標アクセスネットワーク機器が該端末装置のコンテクスト情報を取得したことを端末装置に通知し、つまり目標アクセスネットワーク機器が端末装置との通信の準備をしたことを端末装置に通知することが可能である。
【００９８】
Ｓ３９、目標コアネットワーク機器はソースコアネットワーク機器から送信された端末装置のコンテクスト情報を受信した後、端末装置へ指示情報を送信して、目標コアネットワーク機器が該端末装置のコンテクスト情報を取得したことを端末装置に通知し、つまり目標コアネットワーク機器が端末装置との通信の準備をしたことを端末装置に通知することが可能である。
【００９９】
本願の様々な実施例では、上記各過程の番号の順位は実行順序の前後を意味せず、各過程の実行順序はその機能及び内部論理によって確定されるべきであり、本願の実施例の実施過程を制限するためのものではないと理解すべきである。
【０１００】
上記方法１０、方法２０及び方法３０はコンテクスト情報が１つの機器に記憶される観点から説明したものであり、本願の実施例はこれに限らないと理解すべきである。例えば、端末装置のコンテクスト情報が端末装置及びソースアクセスネットワーク機器に記憶されてもよく、そうすると目標アクセスネットワーク機器がソースアクセスネットワーク機器から該端末装置のコンテクスト情報を取得するために、端末装置が目標コアネットワーク機器へ該端末装置のコンテクスト情報を直接送信してもよく、端末装置も目標アクセスネットワーク機器へソースアクセスネットワーク機器のいくつかの情報を送信してもよい。
【０１０１】
以上はコアネットワーク機器を例として説明したが、ＰＬＭＮネットワーク機器はコアネットワーク機器の機能と同様であるため、ここで詳細な説明は省略すると更に理解すべきである。
【０１０２】
端末装置が目標ネットワーク機器へ送信した端末装置のコンテクスト情報又はソースネットワーク機器の情報はランダムアクセス要求メッセージに含まれ、つまり、目標アクセスネットワーク機器へアップリンク送信のリソース要求を送信してもよいと更に理解すべきである。この時、端末装置がアイドル状態にあってもよいが、該端末装置又はソースアクセスネットワーク機器又はソースコアネットワーク機器（ＰＬＭＮネットワーク機器）に該端末装置のコンテクスト情報が保存され、該端末装置が更に無線リソース制御（ＲＲＣ：Ｒａｄｉｏ  Ｒｅｓｏｕｒｃｅ  Ｃｏｎｔｒｏｌ）非アクティブ状態にあってもよいが、該端末装置又はソースアクセスネットワーク機器又はソースコアネットワーク機器（ＰＬＭＮネットワーク機器）に該端末装置のコンテクスト情報が保存され、本願は該端末装置の状態を制限しない。
【０１０３】
図７は本願の実施例の通信方法４００の模式的なブロック図である。図７に示すように、該方法４００は以下の一部又は全部を含む。
【０１０４】
Ｓ４１０、端末装置が第１公衆陸上移動体ネットワーク（ＰＬＭＮ）から第２ＰＬＭＮまで移動し又は第１コアネットワークから第２コアネットワークまで移動した場合、ソースネットワーク機器は目標ネットワーク機器から送信された、該端末装置の識別子が含まれる、端末装置のコンテクスト情報を取得するように要求するための第１コンテクスト取得要求メッセージを受信し、
Ｓ４２０、該ソースネットワーク機器が該目標ネットワーク機器へ該コンテクスト情報を送信する。
【０１０５】
従って、本願の実施例の通信方法において、端末電量及びネットワークオーバーヘッドを節約するために、端末装置が異なるＰＬＭＮ又は異なるコアネットワークまで移動した場合、ソースネットワーク機器が目標ネットワーク機器から送信されたコンテクスト取得要求メッセージを受信した後、端末装置のコンテクスト情報を目標ネットワーク機器に送信すれば、端末装置とネットワーク機器との接続を回復でき、それにより端末の移動特性を向上させる。
【０１０６】
好ましくは、本願の実施例では、該ソースネットワーク機器がソースコアネットワーク機器であり、該目標ネットワーク機器が目標コアネットワーク機器であり、該方法は、更に、該ソースコアネットワーク機器が該コンテクスト情報を取得するように要求するための第２コンテクスト取得要求メッセージをソースアクセスネットワーク機器に送信することと、該ソースコアネットワーク機器が該ソースアクセスネットワーク機器から送信された該コンテクスト情報を受信することと、を含む。
【０１０７】
好ましくは、本願の実施例では、該ソースネットワーク機器がソースコアネットワーク機器であり、該目標ネットワーク機器が目標コアネットワーク機器であり、該ソースコアネットワーク機器が該目標コアネットワーク機器へ該コンテクスト情報を送信した後、該方法は、更に、該ソースコアネットワーク機器が、該目標コアネットワーク機器から送信された第１指示情報を受信することであって、該第１指示情報が、該コンテクスト情報を解放するように該ソースコアネットワーク機器に指示し、又はソースアクセスネットワーク機器が該コンテクスト情報を解放するようにトリガーするように該ソースコアネットワーク機器に指示することに用いられることと、該ソースコアネットワーク機器が該第１指示情報に基づき、該コンテクスト情報を解放し、又は、該ソースコアネットワーク機器が該ソースアクセスネットワーク機器へ該第１指示情報を転送することと、を含む。
【０１０８】
好ましくは、本願の実施例では、該ソースネットワーク機器がソースＰＬＭＮネットワーク機器であり、該目標ネットワーク機器が目標ＰＬＭＮネットワーク機器であり、該方法は、更に、該ソースＰＬＭＮネットワーク機器が該コンテクスト情報を取得するように要求するための第２コンテクスト取得要求メッセージをソースアクセスネットワーク機器に送信することと、該ソースＰＬＭＮネットワーク機器が該ソースアクセスネットワーク機器から送信された該コンテクスト情報を受信することと、を含む。
【０１０９】
好ましくは、本願の実施例では、該ソースネットワーク機器がソースＰＬＭＮネットワーク機器であり、該目標ネットワーク機器が目標ＰＬＭＮネットワーク機器であり、該ソースＰＬＭＮネットワーク機器が該目標ＰＬＭＮネットワーク機器へ該コンテクスト情報を送信した後、該方法は、更に、該ソースＰＬＭＮネットワーク機器が、該目標ＰＬＭＮネットワーク機器から送信された第２指示情報を受信することであって、該第２指示情報が、該コンテクスト情報を解放するように該ソースＰＬＭＮネットワーク機器に指示し、又は該ソースアクセスネットワーク機器が該コンテクスト情報を解放するようにトリガーするようにソースＰＬＭＮネットワーク機器に指示することに用いられることと、該ソースＰＬＭＮネットワーク機器が該第２指示情報に基づき、該コンテクスト情報を解放し、又は、該ソースＰＬＭＮネットワーク機器が該ソースアクセスネットワーク機器へ該第２指示情報を転送することと、を含む。
【０１１０】
好ましくは、本願の実施例では、該ソースネットワーク機器がソースアクセスネットワーク機器であり、該目標ネットワーク機器が目標アクセスネットワーク機器であり、該方法は、更に、該ソースアクセスネットワーク機器が該コンテクスト情報を取得するように要求するための第２コンテクスト取得要求メッセージをソースコアネットワーク機器又はソースＰＬＭＮネットワーク機器に送信することと、該ソースアクセスネットワーク機器が該ソースコアネットワーク機器又は該ソースＰＬＭＮネットワーク機器から送信された該コンテクスト情報を受信することと、を含む。
【０１１１】
好ましくは、本願の実施例では、該ソースネットワーク機器がソースアクセスネットワーク機器であり、該目標ネットワーク機器が目標アクセスネットワーク機器であり、該ソースアクセスネットワーク機器が該目標アクセスネットワーク機器へ該コンテクスト情報を送信した後、該方法は、更に、該ソースアクセスネットワーク機器が、該目標アクセスネットワーク機器から送信された第３指示情報を受信することであって、該第３指示情報が、該コンテクスト情報を解放するように該ソースアクセスネットワーク機器に指示し、又はソースコアネットワーク機器又はソースＰＬＭＮネットワーク機器が該コンテクスト情報を解放するようにトリガーするように該ソースアクセスネットワーク機器に指示することに用いられることと、該ソースアクセスネットワーク機器が該第３指示情報に基づき、該コンテクスト情報を解放し、又は、該ソースアクセスネットワーク機器が該ソースコアネットワーク機器又は該ソースＰＬＭＮネットワーク機器へ該第３指示情報を転送することと、を含む。
【０１１２】
好ましくは、本願の実施例では、該端末装置が無線リソース制御（ＲＲＣ）の非アクティブ状態にある端末装置である。
【０１１３】
ソースネットワーク機器について説明されたネットワーク機器と目標ネットワーク機器との交互作用及び関連特性、機能等は目標ネットワーク機器の関連特性、機能に対応すると理解すべきである。つまり、目標ネットワーク機器がソースネットワーク機器へどんな情報を送信するかに応じて、ソースネットワーク機器が情報を受信する。簡潔のため、ここで詳細な説明は省略する。
【０１１４】
本願の様々な実施例では、上記各過程の番号の順位は実行順序の前後を意味せず、各過程の実行順序はその機能及び内部論理によって確定されるべきであり、本願の実施例の実施過程を制限するためのものではないと更に理解すべきである。
【０１１５】
図８は本願の実施例の通信方法５００の模式的なブロック図である。図８に示すように、該方法５００は以下の一部又は全部を含む。
【０１１６】
Ｓ５１０、端末装置が第１公衆陸上移動体ネットワーク（ＰＬＭＮ）から第２ＰＬＭＮまで移動し又は第１コアネットワークから第２コアネットワークまで移動した場合、該端末装置は目標ネットワーク機器が該端末装置のコンテクスト情報を取得するようにトリガーする。
【０１１７】
従って、本願の実施例の通信方法において、端末電量及びネットワークオーバーヘッドを節約するために、端末装置が異なるＰＬＭＮ又は異なるコアネットワークまで移動した場合、端末装置は目標アクセスネットワーク機器が端末装置のコンテクスト情報を取得するようにトリガーし、それにより端末装置とネットワーク機器との接続を回復し、これにより、端末の移動特性を向上させる。
【０１１８】
好ましくは、本願の実施例では、該端末装置が目標ネットワーク機器が該端末装置のコンテクスト情報を取得するようにトリガーすることは、該端末装置が該目標ネットワーク機器へ該コンテクスト情報を送信することを含む。
【０１１９】
好ましくは、本願の実施例では、該端末装置が該目標ネットワーク機器へ該コンテクスト情報を送信した後、該方法は、更に、該端末装置が、該目標ネットワーク機器から送信された、該コンテクスト情報を解放するように該端末装置に指示するための指示情報を受信することと、該端末装置が該指示情報に基づき、該コンテクスト情報を解放することと、を含む。
【０１２０】
好ましくは、本願の実施例では、該端末装置が目標ネットワーク機器が該端末装置のコンテクスト情報を取得するようにトリガーすることは、該目標ネットワーク機器が該ソースネットワーク機器から該コンテクスト情報を取得するために、該端末装置が該目標ネットワーク機器へソースネットワーク機器の情報を送信することを含む。
【０１２１】
好ましくは、本願の実施例では、該目標ネットワーク機器が目標コアネットワーク機器であり、該ソースネットワーク機器がソースコアネットワーク機器であり、又は、該目標ネットワーク機器が目標ＰＬＭＮネットワーク機器であり、該ソースネットワーク機器がソースＰＬＭＮネットワーク機器であり、又は、該目標ネットワーク機器が目標アクセスネットワーク機器であり、該ソースネットワーク機器がソースアクセスネットワーク機器である。
【０１２２】
好ましくは、本願の実施例では、該端末装置が無線リソース制御（ＲＲＣ）の非アクティブ状態にある端末装置である。
【０１２３】
端末装置について説明された端末装置とネットワーク機器との相互作用及び関連特性、機能等はネットワーク機器の関連特性、機能に対応すると理解すべきである。つまり、端末装置がネットワーク機器へどんな情報を送信するかに応じて、ネットワーク機器が情報を受信する。簡潔のため、ここで詳細な説明は省略する。
【０１２４】
以上は本願の実施例に係る通信方法を詳しく説明したが、以下に図６〜図１１を参照しながら本願の実施例に係る通信装置を説明し、方法実施例に説明される技術的特徴は以下の装置実施例に適用される。
【０１２５】
図９は本願の実施例のネットワーク機器６００の模式的なブロック図である。該ネットワーク機器が目標ネットワーク機器であり、図９に示すように、該ネットワーク機器６００は、
端末装置が第１公衆陸上移動体ネットワーク（ＰＬＭＮ）から第２ＰＬＭＮまで移動し又は第１コアネットワークから第２コアネットワークまで移動した場合、該端末装置のコンテクスト情報を取得するように構成される取得ユニット６１０と、
該コンテクスト情報に基づき、該端末装置と通信するように構成される通信ユニット６２０と、を備える。
【０１２６】
従って、本願の実施例のネットワーク機器において、端末電量及びネットワークオーバーヘッドを節約するために、端末装置が異なるＰＬＭＮ又は異なるコアネットワークまで移動した場合、目標ネットワーク機器が端末装置のハンドオーバーせずに、端末装置のコンテクスト情報を直接取得でき、それにより端末装置との接続を回復でき、これにより、端末の移動特性を向上させる。
【０１２７】
好ましくは、本願の実施例では、該取得ユニットは、具体的に、該端末装置から送信された該コンテクスト情報を受信することに用いられる。
【０１２８】
好ましくは、本願の実施例では、該ネットワーク機器は、更に、該コンテクスト情報を解放するように該端末装置に指示するための第１指示情報を該端末装置に送信するように構成される第１送信ユニットを備える。
【０１２９】
好ましくは、本願の実施例では、該ネットワーク機器は、更に、該端末装置から送信されたソースネットワーク機器の情報を受信するように構成される第１受信ユニットを備え、該取得ユニットは、具体的に、該ソースネットワーク機器の情報に基づき、該コンテクスト情報を要求するためのコンテクスト取得要求メッセージを該ソースネットワーク機器に送信し、該端末装置の識別子を含み、該ソースネットワーク機器から送信された該コンテクスト情報を受信することに用いられる。
【０１３０】
好ましくは、本願の実施例では、該目標ネットワーク機器が目標コアネットワーク機器であり、該ソースネットワーク機器がソースコアネットワーク機器であり、該ネットワーク機器は、更に、目標アクセスネットワーク機器へ該コンテクスト情報を送信するように構成される第２送信ユニットを備える。
【０１３１】
好ましくは、本願の実施例では、該ネットワーク機器は、更に、第２指示情報を該ソースコアネットワーク機器に送信するように構成される第３送信ユニットを備え、該第２指示情報が、該コンテクスト情報を解放するように該ソースコアネットワーク機器に指示し、又はソースアクセスネットワーク機器が該コンテクスト情報を解放するようにトリガーするように該ソースコアネットワーク機器に指示することに用いられる。
【０１３２】
好ましくは、本願の実施例では、該目標ネットワーク機器が目標ＰＬＭＮネットワーク機器であり、該ソースネットワーク機器がソースＰＬＭＮネットワーク機器であり、該ネットワーク機器は、更に、目標アクセスネットワーク機器へ該コンテクスト情報を送信するように構成される第４送信ユニットを備える。
【０１３３】
好ましくは、本願の実施例では、該ネットワーク機器は、更に、第３指示情報を該ソースＰＬＭＮネットワーク機器に送信するように構成される第５送信ユニットを備え、該第３指示情報が、該コンテクスト情報を解放するように該ソースＰＬＭＮネットワーク機器に指示し、又は該ソースアクセスネットワーク機器が該コンテクスト情報を解放するようにトリガーするようにソースＰＬＭＮネットワーク機器に指示することに用いられる。
【０１３４】
好ましくは、本願の実施例では、該目標ネットワーク機器が目標アクセスネットワーク機器であり、該ソースネットワーク機器がソースアクセスネットワーク機器であり、該ネットワーク機器は、更に、目標コアネットワーク機器又は目標ＰＬＭＮネットワーク機器へ該コンテクスト情報を送信するように構成される第６送信ユニットを備える。
【０１３５】
好ましくは、本願の実施例では、該ネットワーク機器は、更に、第４指示情報を該ソースアクセスネットワーク機器に送信するように構成される第７送信ユニットを備え、該第４指示情報が、該コンテクスト情報を解放するように該ソースアクセスネットワーク機器に指示し、又はソースコアネットワーク機器が該コンテクスト情報を解放するようにトリガーするように該ソースアクセスネットワーク機器に指示することに用いられる。
【０１３６】
好ましくは、本願の実施例では、該ネットワーク機器は、更に、該目標ネットワーク機器が該コンテクスト情報を取得したことを示すための第５指示情報を該端末装置に送信するように構成される第８送信ユニットを備える。
【０１３７】
好ましくは、本願の実施例では、該端末装置が無線リソース制御（ＲＲＣ）の非アクティブ状態にある端末装置である。
【０１３８】
本願の実施例に係るネットワーク機器６００は本願の方法実施例の目標ネットワーク機器に対応してもよく、且つネットワーク機器６００における各ユニットの上記及び他の操作及び／又は機能はそれぞれ図３における方法の目標ネットワーク機器の対応プロセスを実現するためのものであり、簡潔のため、ここで詳細な説明は省略すると理解すべきである。
【０１３９】
図１０は本願の実施例のネットワーク機器７００の模式的なブロック図である。該ネットワーク機器がソースネットワーク機器であり、図１０に示すように、該ネットワーク機器７００は、
端末装置が第１公衆陸上移動体ネットワーク（ＰＬＭＮ）から第２ＰＬＭＮまで移動し又は第１コアネットワークから第２コアネットワークまで移動した場合、目標ネットワーク機器から送信された、該端末装置の識別子が含まれる、端末装置のコンテクスト情報を取得するように要求するための第１コンテクスト取得要求メッセージを受信するように構成される第１受信ユニット７１０と、
該目標ネットワーク機器へ該コンテクスト情報を送信するように構成される第１送信ユニット７２０と、を備える。
【０１４０】
従って、本願の実施例のネットワーク機器において、端末電量及びネットワークオーバーヘッドを節約するために、端末装置が異なるＰＬＭＮ又は異なるコアネットワークまで移動した場合、ソースネットワーク機器が目標ネットワーク機器から送信されたコンテクスト取得要求メッセージを受信した後、端末装置のコンテクスト情報を目標ネットワーク機器に送信すれば、端末装置とネットワーク機器との接続を回復でき、それにより端末の移動特性を向上させる。
【０１４１】
好ましくは、本願の実施例では、該ソースネットワーク機器がソースコアネットワーク機器又はソースＰＬＭＮネットワーク機器であり、該目標ネットワーク機器が目標コアネットワーク機器又は目標ＰＬＭＮネットワーク機器であり、該ネットワーク機器は、更に、該コンテクスト情報を取得するように要求するための第２コンテクスト取得要求メッセージをソースアクセスネットワーク機器に送信するように構成される第２送信ユニットと、該ソースアクセスネットワーク機器から送信された該コンテクスト情報を受信するように構成される第２受信ユニットと、を備える。
【０１４２】
好ましくは、本願の実施例では、該ソースネットワーク機器がソースコアネットワーク機器又はソースＰＬＭＮネットワーク機器であり、該目標ネットワーク機器が目標コアネットワーク機器又は目標ＰＬＭＮネットワーク機器であり、該ネットワーク機器は、更に、該目標コアネットワーク機器から送信された第１指示情報を受信し、該第１指示情報が、該コンテクスト情報を解放するように該ソースコアネットワーク機器に指示し、又はソースアクセスネットワーク機器が該コンテクスト情報を解放するようにトリガーするように該ソースコアネットワーク機器に指示することに用いられ、又は、該コンテクスト情報を解放するように該ソースＰＬＭＮネットワーク機器に指示するための第１指示情報を受信するように構成される第３受信ユニットと、該第１指示情報に基づき、該コンテクスト情報を解放するように構成される第１解放ユニット、又は、該ソースアクセスネットワーク機器へ該第１指示情報を転送するように構成される第３送信ユニットと、を備える。
【０１４３】
好ましくは、本願の実施例では、該ソースネットワーク機器がソースアクセスネットワーク機器であり、該目標ネットワーク機器が目標アクセスネットワーク機器であり、該ネットワーク機器は、更に、該コンテクスト情報を取得するように要求するための第２コンテクスト取得要求メッセージをソースコアネットワーク機器又はソースＰＬＭＮネットワーク機器に送信するように構成される第４送信ユニットと、該ソースコアネットワーク機器又は該ソースＰＬＭＮネットワーク機器から送信された該コンテクスト情報を受信するように構成される第４受信ユニットと、を備える。
【０１４４】
好ましくは、本願の実施例では、該ソースネットワーク機器がソースアクセスネットワーク機器であり、該目標ネットワーク機器が目標アクセスネットワーク機器であり、該ネットワーク機器は、更に、該目標アクセスネットワーク機器から送信された第３指示情報を受信するように構成される第５受信ユニットであって、前記第３指示情報が、該コンテクスト情報を解放するように該ソースアクセスネットワーク機器に指示し、又はソースコアネットワーク機器又はソースＰＬＭＮネットワーク機器が該コンテクスト情報を解放するようにトリガーするように該ソースアクセスネットワーク機器に指示することに用いられることと、該第３指示情報に基づき、該コンテクスト情報を解放するように構成される第２解放ユニット、又は、該ソースコアネットワーク機器又は該ソースＰＬＭＮネットワーク機器へ該第３指示情報を転送するように構成される第５送信ユニットと、を備える。
【０１４５】
好ましくは、本願の実施例では、該端末装置が無線リソース制御（ＲＲＣ）の非アクティブ状態にある端末装置である。
【０１４６】
本願の実施例に係るネットワーク機器７００は本願の方法実施例のソースネットワーク機器に対応してもよく、且つネットワーク機器７００における各ユニットの上記及び他の操作及び／又は機能はそれぞれ図４における方法の目標ネットワーク機器の対応プロセスを実現するためのものであり、簡潔のため、ここで詳細な説明は省略すると理解すべきである。
【０１４７】
図１１は本願の実施例の端末装置８００の模式的なブロック図である。図１１に示すように、該端末装置８００は、
該端末装置が第１公衆陸上移動体ネットワーク（ＰＬＭＮ）から第２ＰＬＭＮまで移動し又は第１コアネットワークから第２コアネットワークまで移動したことを確定するように構成される確定ユニット８１０と、
目標ネットワーク機器が該端末装置のコンテクスト情報を取得するようにトリガーするように構成されるトリガーユニット８２０と、を備える。
【０１４８】
従って、本願の実施例の端末装置において、端末電量及びネットワークオーバーヘッドを節約するために、端末装置が異なるＰＬＭＮ又は異なるコアネットワークまで移動した場合、端末装置が、目標アクセスネットワーク機器が端末装置のコンテクスト情報を取得するようにトリガーし、それにより端末装置とネットワーク機器との接続を回復し、これにより、端末の移動特性を向上させる。
【０１４９】
好ましくは、本願の実施例では、該トリガーユニットは、具体的に、該目標ネットワーク機器へ該コンテクスト情報を送信することに用いられる。
【０１５０】
好ましくは、本願の実施例では、該端末装置は、更に、該目標ネットワーク機器から送信された、該コンテクスト情報を解放するように該端末装置に指示するための指示情報を受信するように構成される受信ユニットと、該指示情報に基づき、該コンテクスト情報を解放するように構成される解放ユニットと、を備える。
【０１５１】
好ましくは、本願の実施例では、該トリガーユニットは、具体的に、該目標ネットワーク機器が該ソースネットワーク機器から該コンテクスト情報を取得するために、該目標ネットワーク機器へソースネットワーク機器の情報を送信することに用いられる。
【０１５２】
好ましくは、本願の実施例では、該目標ネットワーク機器が目標コアネットワーク機器であり、該ソースネットワーク機器がソースコアネットワーク機器であり、又は、該目標ネットワーク機器が目標ＰＬＭＮネットワーク機器であり、該ソースネットワーク機器がソースＰＬＭＮネットワーク機器であり、又は、該目標ネットワーク機器が目標アクセスネットワーク機器であり、該ソースネットワーク機器がソースアクセスネットワーク機器である。
【０１５３】
好ましくは、本願の実施例では、該端末装置が無線リソース制御（ＲＲＣ）の非アクティブ状態にある端末装置である。
【０１５４】
本願の実施例に係る端末装置８００は本願の方法実施例の端末装置に対応してもよく、且つ端末装置８００における各ユニットの上記及び他の操作及び／又は機能はそれぞれ図５における方法の目標ネットワーク機器の対応プロセスを実現するためのものであり、簡潔のため、ここで詳細な説明は省略すると理解すべきである。
【０１５５】
図１２に示すように、本願の実施例は更にネットワーク機器９００を提供し、該ネットワーク機器９００は図３における方法３００に対応するネットワーク機器の内容を実行することのできる図９におけるネットワーク機器６００であってもよい。該ネットワーク機器９００は入力インターフェース９１０、出力インターフェース９２０、プロセッサ９３０及びメモリ９４０を備え、該入力インターフェース９１０、出力インターフェース９２０、プロセッサ９３０及びメモリ９４０がバスシステムによって接続されてもよい。該メモリ９４０がプログラム、命令又はコードを記憶することに用いられる。入力インターフェース９１０が信号を受信し、出力インターフェース９２０が信号を送信するように制御し及び上記方法実施例の操作を完了するために、該プロセッサ９３０が該メモリ９４０におけるプログラム、命令又はコードを実行する。
【０１５６】
従って、本願の実施例のネットワーク機器において、端末電量及びネットワークオーバーヘッドを節約するために、端末装置が異なるＰＬＭＮ又は異なるコアネットワークまで移動した場合、端末装置のハンドオーバーをせずに、端末装置のコンテクスト情報を直接取得でき、それにより端末装置との接続を回復でき、これにより、端末の移動特性を向上させる。
【０１５７】
本願の実施例では、該プロセッサ９３０は中央処理装置（ＣＰＵ：Ｃｅｎｔｒａｌ  Ｐｒｏｃｅｓｓｉｎｇ  Ｕｎｉｔ）であってもよく、該プロセッサ９３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１５８】
該メモリ９４０は読み出し専用メモリ及びランダムアクセスメモリを含んでもよく、且つプロセッサ９３０に命令及びデータを提供する。メモリ９４０の一部は更に不揮発性ランダムアクセスメモリを含んでもよい。例えば、メモリ９４０に更に装置タイプの情報が記憶されてもよい。
【０１５９】
実現過程において、上記方法の各内容はプロセッサ９３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ９４０に位置し、プロセッサ９３０がメモリ９４０における情報を読み取り、そのハードウェアと組み合わせて上記方法の内容を完了する。重複を避けるため、ここで詳細な説明は省略する。
【０１６０】
１つの具体的な実施形態では、ネットワーク機器６００における第１受信ユニットが図１２における入力インターフェース９１０により実現されてもよく、ネットワーク機器６００における第１送信ユニット乃至第８送信ユニットが図１２における出力インターフェース９２０により実現されてもよく、ネットワーク機器６００における取得ユニットが図１２におけるプロセッサ９３０により実現されてもよい。
【０１６１】
図１３に示すように、本願の実施例は更にネットワーク機器１０００を提供し、該ネットワーク機器１０００は図７における方法４００に対応するネットワーク機器の内容を実行することのできる図１０におけるネットワーク機器７００であってもよい。該ネットワーク機器１０００は入力インターフェース１０１０、出力インターフェース１０２０、プロセッサ１０３０及びメモリ１０４０を備え、該入力インターフェース１０１０、出力インターフェース１０２０、プロセッサ１０３０及びメモリ１０４０がバスシステムによって接続されてもよい。該メモリ１０４０がプログラム、命令又はコードを記憶することに用いられる。入力インターフェース１０１０が信号を受信し、出力インターフェース１０２０が信号を送信するように制御し及び上記方法実施例における操作を完了するために、該プロセッサ１０３０が該メモリ１０４０におけるプログラム、命令又はコードを実行することに用いられる。
【０１６２】
従って、本願の実施例のネットワーク機器において、端末電量及びネットワークオーバーヘッドを節約するために、端末装置が異なるＰＬＭＮ又は異なるコアネットワークまで移動した場合、目標ネットワーク機器から送信されたコンテクスト取得要求メッセージを受信した後、端末装置のコンテクスト情報を目標ネットワーク機器に送信すれば、端末装置とネットワーク機器との接続を回復でき、それにより端末の移動特性を向上させる。
【０１６３】
本願の実施例では、該プロセッサ１０３０は中央処理装置（ＣＰＵ：Ｃｅｎｔｒａｌ  Ｐｒｏｃｅｓｓｉｎｇ  Ｕｎｉｔ）であってもよく、該プロセッサ１０３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１６４】
該メモリ１０４０は読み出し専用メモリ及びランダムアクセスメモリを含んでもよく、且つプロセッサ１０３０に命令及びデータを提供する。メモリ１０４０の一部は更に不揮発性ランダムアクセスメモリを含んでもよい。例えば、メモリ１０４０に更に装置タイプの情報が記憶されてもよい。
【０１６５】
実現過程において、上記方法の各内容はプロセッサ１０３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ１０４０に位置し、プロセッサ１０３０がメモリ１０４０における情報を読み取り、そのハードウェアと組み合わせて上記方法の内容を完了する。重複を避けるため、ここで詳細な説明は省略する。
【０１６６】
１つの具体的な実施形態では、ネットワーク機器７００における第１受信ユニット乃至第５受信ユニットが図１３における入力インターフェース１０１０により実現されてもよく、ネットワーク機器７００における第１送信ユニット乃至第５送信ユニットが図１３における出力インターフェース１０２０により実現されてもよく、ネットワーク機器７００における第１解放ユニット及び第２解放ユニットが図１３におけるプロセッサ１０３０により実現されてもよい。
【０１６７】
図１４に示すように、本願の実施例は更に端末装置２０００を提供し、該端末装置２０００は図８における方法５００に対応する端末装置の内容を実行することのできる図１１における端末装置８００であってもよい。該端末装置２０００は入力インターフェース２０１０、出力インターフェース２０２０、プロセッサ２０３０及びメモリ２０４０を備え、該入力インターフェース２０１０、出力インターフェース２０２０、プロセッサ２０３０及びメモリ２０４０がバスシステムによって接続されてもよい。該メモリ２０４０がプログラム、命令又はコードを記憶することに用いられる。入力インターフェース２０１０が信号を受信し、出力インターフェース２０２０が信号を送信するように制御し及び上記方法実施例における操作を完了するために、該プロセッサ２０３０が該メモリ２０４０におけるプログラム、命令又はコードを実行することに用いられる。
【０１６８】
従って、本願の実施例の端末装置において、端末電量及びネットワークオーバーヘッドを節約するために、端末装置が異なるＰＬＭＮ又は異なるコアネットワークまで移動した場合、端末装置が、目標アクセスネットワーク機器が端末装置のコンテクスト情報を取得するようにトリガーし、それにより端末装置とネットワーク機器との接続を回復し、これにより、端末の移動特性を向上させる。
【０１６９】
本願の実施例では、該プロセッサ２０３０は中央処理装置（ＣＰＵ：Ｃｅｎｔｒａｌ  Ｐｒｏｃｅｓｓｉｎｇ  Ｕｎｉｔ）であってもよく、該プロセッサ２０３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１７０】
該メモリ２０４０は読み出し専用メモリ及びランダムアクセスメモリを含んでもよく、且つプロセッサ２０３０に命令及びデータを提供する。メモリ２０４０の一部は更に不揮発性ランダムアクセスメモリを含んでもよい。例えば、メモリ２０４０に更に装置タイプの情報が記憶されてもよい。
【０１７１】
実現過程において、上記方法の各内容はプロセッサ２０３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ２０４０に位置し、プロセッサ２０３０がメモリ２０４０における情報を読み取り、そのハードウェアと組み合わせて上記方法の内容を完了する。重複を避けるため、ここで詳細な説明は省略する。
【０１７２】
１つの具体的な実施形態では、端末装置８００における受信ユニットが図１４における出力インターフェース２０１０により実現されてもよく、端末装置８００におけるトリガーユニット、解放ユニット及び確定ユニットが図１４におけるプロセッサ２０３０により実現されてもよい。
【０１７３】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって確定される。当業者は各特定応用に対して異なる方法で説明される機能を実現することができるが、このような実現は本願の範囲を超えると見なされるべきではない。
【０１７４】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１７５】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１７６】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１７７】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１７８】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１７９】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020534715.tif 000003
【図２】
2020534715.tif 000004
【図３】
2020534715.tif 000005
【図４】
2020534715.tif 000006
【図５】
2020534715.tif 000007
【図６】
2020534715.tif 000008
【図７】
2020534715.tif 000009
【図８】
2020534715.tif 000010
【図９】
2020534715.tif 000011
【図１０】
2020534715.tif 000012
【図１１】
2020534715.tif 000013
【図１２】
2020534715.tif 000014
【図１３】
2020534715.tif 000015
【図１４】
2020534715.tif 000016
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
通信方法であって、
端末装置が第１公衆陸上移動体ネットワーク（ＰＬＭＮ）から第２ＰＬＭＮまで移動し又は第１コアネットワークから第２コアネットワークまで移動した場合、目標ネットワーク機器が、前記端末装置のコンテクスト情報を取得することと、
前記目標ネットワーク機器が、前記コンテクスト情報に基づき、前記端末装置と通信することと、を含むことを特徴とする、前記通信方法。
【請求項２】
前記目標ネットワーク機器が前記端末装置のコンテクスト情報を取得することは、
前記目標ネットワーク機器が、前記端末装置から送信された前記コンテクスト情報を受信することを含むことを特徴とする
請求項１に記載の方法。
【請求項３】
前記目標ネットワーク機器が前記端末装置から送信された前記コンテクスト情報を受信した後、前記方法は、更に、
前記目標ネットワーク機器が、前記コンテクスト情報を解放するように前記端末装置に指示するための第１指示情報を前記端末装置に送信することを含むことを特徴とする
請求項２に記載の方法。
【請求項４】
前記方法は、更に、
前記目標ネットワーク機器が、前記端末装置から送信されたソースネットワーク機器の情報を受信することを含み、
前記目標ネットワーク機器が前記端末装置のコンテクスト情報を取得することは、
前記目標ネットワーク機器が、前記ソースネットワーク機器の情報に基づき、前記コンテクスト情報を要求するためのコンテクスト取得要求メッセージを前記ソースネットワーク機器に送信することであって、前記コンテクスト取得要求メッセージが、前記端末装置の識別子を含むことと、
前記目標ネットワーク機器が、前記ソースネットワーク機器から送信された前記コンテクスト情報を受信することと、を含むことを特徴とする
請求項１に記載の方法。
【請求項５】
前記目標ネットワーク機器が目標コアネットワーク機器であり、前記ソースネットワーク機器がソースコアネットワーク機器であり、前記方法は、更に、
前記目標コアネットワーク機器が、目標アクセスネットワーク機器へ前記コンテクスト情報を送信することを含むことを特徴とする
請求項４に記載の方法。
【請求項６】
前記目標コアネットワーク機器が前記ソースコアネットワーク機器から送信された前記コンテクスト情報を受信した後、前記方法は、更に、
前記目標コアネットワーク機器が、第２指示情報を前記ソースコアネットワーク機器に送信することであって、前記第２指示情報が、前記コンテクスト情報を解放するように前記ソースコアネットワーク機器に指示し、又はソースアクセスネットワーク機器が前記コンテクスト情報を解放するようにトリガーするように前記ソースコアネットワーク機器に指示することに用いられることを含むことを特徴とする
請求項５に記載の方法。
【請求項７】
前記目標ネットワーク機器が目標ＰＬＭＮネットワーク機器であり、前記ソースネットワーク機器がソースＰＬＭＮネットワーク機器であり、前記方法は、更に、
前記目標ＰＬＭＮネットワーク機器が、目標アクセスネットワーク機器へ前記コンテクスト情報を送信することを含むことを特徴とする
請求項４に記載の方法。
【請求項８】
前記目標ＰＬＭＮネットワーク機器が前記ソースＰＬＭＮネットワーク機器から送信された前記コンテクスト情報を受信した後、前記方法は、更に、
前記目標ＰＬＭＮネットワーク機器が、第３指示情報を前記ソースＰＬＭＮネットワーク機器に送信することであって、前記第３指示情報が、前記コンテクスト情報を解放するように前記ソースＰＬＭＮネットワーク機器に指示し、又はソースアクセスネットワーク機器が前記コンテクスト情報を解放するようにトリガーするように前記ソースＰＬＭＮネットワーク機器に指示することに用いられることを含むことを特徴とする
請求項７に記載の方法。
【請求項９】
前記目標ネットワーク機器が目標アクセスネットワーク機器であり、前記ソースネットワーク機器がソースアクセスネットワーク機器であり、前記方法は、更に、
前記目標アクセスネットワーク機器が、目標コアネットワーク機器又は目標ＰＬＭＮネットワーク機器へ前記コンテクスト情報を送信することを含むことを特徴とする
請求項４に記載の方法。
【請求項１０】
前記目標アクセスネットワーク機器が前記ソースアクセスネットワーク機器から送信された前記コンテクスト情報を受信した後、前記方法は、更に、
前記目標アクセスネットワーク機器が、第４指示情報を前記ソースアクセスネットワーク機器に送信することであって、第４指示情報が、前記コンテクスト情報を解放するように前記ソースアクセスネットワーク機器に指示し、又はソースコアネットワーク機器が前記コンテクスト情報を解放するようにトリガーするように前記ソースアクセスネットワーク機器に指示することに用いられることを含むことを特徴とする
請求項９に記載の方法。
【請求項１１】
通信方法であって、
端末装置が第１公衆陸上移動体ネットワーク（ＰＬＭＮ）から第２ＰＬＭＮまで移動し又は第１コアネットワークから第２コアネットワークまで移動した場合、前記端末装置が、目標ネットワーク機器が前記端末装置のコンテクスト情報を取得するようにトリガーすることを含むことを特徴とする、前記通信方法。
【請求項１２】
前記端末装置が、目標ネットワーク機器が前記端末装置のコンテクスト情報を取得するようにトリガーすることは、
前記端末装置が、前記目標ネットワーク機器へ前記コンテクスト情報を送信することを含むことを特徴とする
請求項１１に記載の方法。
【請求項１３】
前記端末装置が前記目標ネットワーク機器へ前記コンテクスト情報を送信した後、前記方法は、更に、
前記端末装置が、前記目標ネットワーク機器から送信された、前記コンテクスト情報を解放するように前記端末装置に指示するための指示情報を受信することと、
前記端末装置が、前記指示情報に基づき、前記コンテクスト情報を解放することと、を含むことを特徴とする
請求項１２に記載の方法。
【請求項１４】
ネットワーク機器であって、
請求項１〜１０のいずれか１項に記載の方法を実施するように構成される、
前記ネットワーク機器。
【請求項１５】
端末装置であって、
請求項１１〜１３のいずれか１項に記載の方法を実施するように構成される、
前記端末装置。
【国際調査報告】
2020534715.tif 000017
2020534715.tif 000018
2020534715.tif 000019
2020534715.tif 000020